(57)【特許請求の範囲】
【請求項１】
入力ポートに入力する入力光を２つに分岐する第１の光分岐手段と、
前記第１の光分岐手段から出力される第１の分岐入力光を送出すべき変調信号に応じて変調するＭＺ変調手段と、
前記第１の光分岐手段から出力される第２の分岐入力光の光強度を検出する光検出手段と、
前記ＭＺ変調手段から出力される被変調光信号を２つに分岐するとともに、分岐した第１の分岐光信号を出力ポートに出力する第２の光分岐手段と、
前記第２の光分岐手段から出力される第２の分岐光信号に応じて前記ＭＺ変調手段の動作点を制御する信号を切り換えるスイッチを有する動作点制御手段と、
前記光検出手段によって検出される前記光強度が予め設定された閾値以下の場合に前記動作点制御手段の動作を停止し、前記光強度が予め設定された閾値より大きくなったときに前記動作点制御手段が動作を行うように前記スイッチを切り換える制御手段とからなること
を特徴とする光通信装置。
【請求項２】
入力ポートに入力する入力光を送出すべき変調信号に応じて変調するＭＺ変調手段と、
前記ＭＺ変調手段から出力される被変調光信号を３つに分岐するとともに、分岐した第１の分岐光信号を前記出力ポートに出力する光分岐手段と、
前記光分岐手段から出力される第２の分岐光信号の光強度を検出する光検出手段と、
前記光分岐手段から出力される第３の分岐光信号に応じて前記ＭＺ変調手段を制御する信号を切り換えるスイッチを有する動作点制御手段と、
前記光検出手段によって検出される前記光強度が予め設定された閾値以下の場合に前記動作点制御手段は前記ＭＺ変調手段の動作点を維持し、前記光強度が予め設定された閾値より大きくなったときに前記動作点制御手段が前記維持された動作点から動作を行うように前記スイッチを切り換える制御手段とからなること
を特徴とする光通信装置。
【請求項３】
請求項１または請求項２に記載の光通信装置において、
前記制御手段は、前記光検出手段により検出された前記光強度に応じ前記動作点制御手
段の前記動作点を、制御可能な範囲の値になるように切り換えること
を特徴とする光通信装置。
【請求項４】
入力ポートに入力する入力光を送出すべき変調信号に応じて変調するＭＺ変調手段と、
前記ＭＺ変調手段から出力される被変調光信号を２つに分岐するとともに、分岐した第１の分岐光信号を前記出力ポートに出力する光分岐手段と、
前記光分岐手段から出力される第２の分岐光信号に応じて前記ＭＺ変調手段を制御する信号を切り換えるスイッチを有する動作点制御手段と、
前記変調信号の信号強度を検出する変調信号検出手段と、
前記変調信号検出手段によって検出する前記信号強度が予め設定された閾値以下の場合に前記動作点制御手段の動作点を維持し、前記光強度が予め設定された閾値より大きくなったときに前記動作点制御手段が前記維持された動作点から動作を行うように前記スイッチを切り換える制御手段とからなること
を特徴とする光通信装置。
【請求項５】
請求項４に記載の光通信装置において、
前記制御手段は、前記変調信号検出手段により検出された前記信号強度に応じ前記動作点制御手段の前記動作点を、制御可能な範囲の値になるように前記スイッチを切り換えること
を特徴とする光通信装置。
【請求項６】
請求項１、２、４のいずれか１項に記載の光通信装置において、
入力光の強度に応じた制御信号によって入力光を透過または減衰する光減衰手段を前記ＭＺ変調手段の入力または出力に挿入すること
を特徴とする光通信装置。
【請求項７】
請求項１、２、４のいずれか１項に記載の光通信装置において、
前記ＭＺ変調手段は、前記変調信号の信号強度または入力する光強度に応じて出力の有無が制御されること
を特徴とする光通信装置。
【請求項８】
請求項１または請求項２に記載の光通信装置において、
前記変調信号の信号強度を検出する変調信号検出手段と、
前記第１の光分岐手段と前記ＭＺ変調手段との間または前記ＭＺ変調手段と前記第２の光分岐手段との間のいずれかに接続されるとともに、入力する光を透過または減衰する光減衰手段と、
前記変調信号検出手段により検出された前記信号強度に応じて前記光減衰手段の減衰量を制御する減衰量制御手段とをさらに備えること
を特徴とする光通信装置。
【請求項９】
請求項１または請求項２に記載の光通信装置において、
前記変調信号の信号強度を検出する変調信号検出手段と、
前記変調信号検出手段によって検出される前記信号強度に応じて前記ＭＺ変調手段の出力の有無を制御する変調制御手段とをさらに備えること
を特徴とする光通信装置。
【請求項１０】
請求項８に記載の光通信装置において、
前記減衰量制御手段は、前記光検出手段によって検出された前記光強度および前記変調信号検出手段によって検出した前記信号強度に応じて前記光減衰手段の減衰量を制御すること
を特徴とする光通信装置。
【請求項１１】
請求項９に記載の光通信装置において、
前記ＭＺ変調手段は、前記光検出手段によって検出された前記光強度および前記変調信号検出手段によって検出した前記信号強度に応じて出力の有無が制御されること
を特徴とする光通信装置。
【請求項１２】
波長多重した光信号を伝送する伝送路に接続され、該伝送路上の光信号に対して少なくとも１つの波長の光信号を分岐および挿入可能な分岐・挿入手段と、該分岐・挿入手段で分岐された光信号を波長ごとに受信処理する光波長分岐手段と、前記伝送路上の光信号に挿入する挿入光を前記分岐・挿入手段に出力する光挿入手段と、を備えた光分岐・挿入装置において、
前記光挿入手段は、
請求項１、２、４のいずれか１項に記載の光通信装置であること
を特徴とする光分岐・挿入装置。
【発明の詳細な説明】
【技術分野】
【０００１】
本発明は、波長多重された信号光を伝送する光通信装置において、入力する光または送出すべき変調信号の有無に拘わらずその動作を安定させる光通信装置およびこの光通信装置を挿入装置として使用する光分岐・挿入装置に関する。
【背景技術】
【０００２】
将来のマルチメディアネットワークの構築を目指し、超長距離でかつ大容量の光通信装置が要求されている。この大容量化を実現する方式として、波長分割多重（Wavelength-division Multiplexing）方式が、光ファイバの広帯域・大容量性を有効利用できるなどの有利な点から鋭意研究が行われている。
特に、光波ネットワーク上の各ノードで必要となる波長分割多重方式の光分岐・挿入装置やこの光分岐・挿入装置の挿入部で使用される光変調器について、研究が進められている。
従来の光通信装置の光変調器として使用されるマッハツェンダー型の光変調器（以下「ＭＺ変調器」と略記する）は、温度変動および経時変化に対して出力される光信号の安定化が必要である。そのためＭＺ変調器の動作点を制御する動作点制御回路が特開平３−２５１８１５号公報に開示されている。
【０００３】
図２０は、この従来の動作点制御回路を備えたＭＺ変調器のブロック図である。
図２０において、レーザダイオード（以下、「ＬＤ」と略記する。）などの光源３１０から射出された光は、ＭＺ変調器３１１に入射される。また、送出したい情報を含んだ変調信号および低周波発振器３２４が出力する所定周波数ｆ0 の低周波信号は、可変利得アンプ３１３に入力される。この可変利得アンプ３１３は、その変調信号に所定周波数ｆ0 の低周波信号を重畳して出力する。この出力信号は、所定の信号レベルを得るアンプ３１４、さらにカップリングコンデンサ３１５を介してＭＺ変調器３１１の一方の変調入力端子に入力される。また、ＭＺ変調器３１１の他方の変調入力端子には、インダクタ３１６およびコンデンサ３１７によるバイアスＴ回路および抵抗３１８が接続される。これらアンプ３１４とカップリングコンデンサ３１５とバイアスＴ回路と抵抗３１８とからなる部分は、ＭＺ変調器３１１の駆動回路に相当する。
【０００４】
ＭＺ変調器３１１は、この駆動回路から与えられる信号により光源３１０の光を変調して出力する。
ＭＺ変調器３１１からの光出力の一部は、光分岐器３１２によって分岐して取り出される。この分岐した光出力は、ホトダイオード（以下、「ＰＤ」と略記する。）などの光電変換器３１９で検出され、この検出信号は、ｆ0 の周波数成分を選択増幅するバッファアンプ３２０で増幅されて乗算器３２１に入力する。また、乗算器３２１には、低周波発振器３２４が出力する低周波信号が入力され、バッファアンプ３２０からの入力信号と低周波発振器３２４からの低周波信号との位相を比較し、その位相差に応じた信号を出力する。
【０００５】
したがって、この乗算器３２１によって、可変利得アンプ３１３で重畳された所定周波数ｆ0 の低周波信号を検波することができる。
この乗算器３２１の出力信号は、所定周波数ｆ0 以下の周波数を通過させる低域通過フィルタ（以下、「ＬＰＦ」と略記する。）３２２を介して差動アンプ３２３の一方の入力端子に入力される。一方、差動アンプ３２３の他方の入力端子は、接地される。また、差動アンプ３２３の出力は、ＭＺ変調器３１１の動作点を移動するための誤差信号としてバイアスＴ回路のインダクタ３１６に入力され、この動作点を修正するようにバイアス値が
可変制御される。
【０００６】
このような構成のＭＺ変調器において、バイアス値が最適の場合は、出力光には重畳した周波数ｆ0 の低周波信号は、現れない。
図２１は、このような回路構成のＭＺ変調器において、動作点にドリフトが生じた場合の動作を説明するための波形図である。図２１（ａ）は、ＭＺ変調器の入出力特性を表し、同図の曲線Ｂは、曲線Ａに対し動作点が高電圧側にドリフトした場合の入出力特性であり、同図の曲線Ｃは、曲線Ａに対し動作点が低電圧側にドリフトした場合の入出力特性である。また、図２１（ｂ）は、入力信号の波形であり、図２１（ｃ）、（ｃ1 ）、（ｃ2 ）は、各入出力特性に対する出力光信号の波形である。
【０００７】
図２１に示すように、動作点が高電圧側または低電圧側にドリフトした場合は、出力光に重畳した周波数ｆ0 の低周波信号が、ドリフト方向の相違に応じて位相を１８０度反転して現れる。このため乗算器３２１からの信号によってバイアス電圧を制御することができるから、動作点のドリフトを補償することができる。
【０００８】
このように、動作点のドリフトは、入力光を変調信号および低周波信号で変調した出力光から低周波信号を取り出して元の低周波信号と位相を比較することによって補償される。したがって、このような動作点制御回路は、入力光（出力光）および変調信号が存在する場合に安定に動作点を制御することができる。
一方、図２２は、従来の光分岐・挿入装置のブロック図である。
【０００９】
図２２において、光伝送路を伝わる波長多重された信号光は、所定の光強度まで増幅された後に、この波長多重信号光を分岐・挿入するＯＡＤＭ（Optical Add-Drop Multiplexer）ノード部３５０に入射される。このＯＡＤＭノード部３５０によって所定の波長の信号光が分岐して、光カプラ３５１を介して分岐する信号光の数の光分岐部３５２によって受信処理される。また、ＯＡＤＭノード部３５０で挿入される信号光は、光挿入部３５５によって発生する。この光挿入部３５５は、ＯＡＤＭノード部３５０において挿入すべき信号光の数だけ波長ごとに用意されている。この挿入される信号光とＯＡＤＭノード部３５０で分岐しないで透過した信号光とは、波長多重され、増幅された後に光伝送路に送出される。
【００１０】
この光分岐・挿入装置の光挿入部３５５において、特定波長の光を発生するＬＤ３６０からの光は、光アンプ３６１で増幅され、光アンプ３６１の出力光は、上述の動作点制御回路を備えた光変調器３６２によって変調される。変調された光信号は、光アンプ３６３によって増幅され、光カプラ３５４に入射する。この光カプラ３５４は、他の波長の同様の構成によって発生した光信号とともにＯＡＤＭノード部３５０に挿入する。
【発明の開示】
【発明が解決しようとする課題】
【００１１】
ところで、図２０に示すＭＺ変調器３１１において、ＭＺ変調器３１１に入射される入力光が一時的に無くなって再び回復する瞬断の場合には、次のような状態が生じる。
入力光が無くなると光分岐器３１２によって分岐する光出力が無くなるため、動作点は、不定状態となる。すなわち、図２１（ｂ）において、バイアス電圧Ｖb が、(1)０以下の電圧である場合、(2)０より大きくＶp より小さい電圧である場合、(3)Ｖp 以上の電圧である場合のいずれの電圧であるか判らない状態となる。
【００１２】
このような不定状態のときに、入力光が回復すると、バイアスＴ回路の動作により、(2)の場合には最適な動作点になるが、(1)の場合にはＶb は０に、(3)の場合にはＶb はＶp
に張り付いてしまい、最適な動作点になることができない。
このため、ＭＺ変調器３１１に入射される入力光が瞬断した場合には、必ずしも最適な動作点を得ることができないという問題点がある。
【００１３】
従来においては、ＭＺ変調器３１１は、端局などに使用され入力光が瞬断するという場合はなかったため、問題とならなかった。しかし、ＭＺ変調器３１１を図２２に示す光分岐・挿入装置の光挿入部３５５として使用する場合には、光伝送路を伝送する波長多重信号の中で使用されていない波長に挿入する光の波長を切り換える必要があることから、その波長の切換の間に必ず入力光が無くなる状態が生じる。このため、上記の問題点は、特に重大である。
【００１４】
一方、図２２に示す光分岐・挿入装置において、光変調器３６２に入力光がない場合では、光アンプ３６１、３６３によって自然的に発生する雑音レベルであるＡＳＥ（Amplified Spontaneous Emission）が光伝送路に送出されるという問題点がある。また、光挿入部３５５において常に挿入すべき変調信号があるわけではない。このような変調信号がない場合では、ＡＳＥだけでなく変調信号によって変調されない入力光が光伝送路に送出されてしまうという問題点がある。
【００１５】
さらに、光通信ネットワークでは、光強度の有無によって光通信ネットワークの故障評定を行うことから、上述のＡＳＥおよび変調信号によって変調されない入力光が光伝送路に送出されると故障評定を行うことができないという問題点がある。
そこで、本発明では、光通信装置に入力光または変調信号が一時的にない場合でも、光変調手段の動作点を安定に維持する光通信装置を提供することを目的とする。
【００１６】
また、本発明の光通信装置では、光通信装置に入力光または変調信号が一時的にない場合でも、光変調手段の動作点を安定に維持するとともに、ＡＳＥおよび変調信号によって変調されていない入力光を出力しない光通信装置を提供することを目的とする。
【００１７】
また、本発明の光分岐・挿入装置では、使用されていない挿入装置がある場合でも、その挿入装置における光変調手段の動作点を安定に維持するとともに、その挿入装置からＡＳＥおよび変調信号によって変調されていない入力光が挿入されない光分岐・挿入装置を提供することを目的とする。
【課題を解決するための手段】
【００１８】
以下、図面を用いて課題を解決するための手段を説明する。
【００１９】
（本発明に関連した第１の技術および第３の技術）
図１は、本発明に関連した第１の技術、第３の技術に記載の光通信装置のブロック図である。
図１において、この光通信装置は、光分岐手段１０、１２と光変調手段１１と動作点制御手段１３と制御手段１４と光検出手段１５とから構成される。
入力ポートに入力した入力光は、光を２つに分岐する光分岐手段１０によって分岐する。この光分岐手段１０によって分岐した第１の分岐入力光は、光変調手段１１によって送出すべき変調信号に応じて変調される。この光変調手段１１からの被変調光信号は、光を２つに分岐する光分岐手段１２によって分岐する。
【００２０】
この光分岐手段１２によって分岐した第１の分岐光信号は、出力ポートに出力される。
一方、光分岐手段１２によって分岐した第２の分岐光信号は、光変調手段１１の動作点を制御する動作点制御手段１３に入射する。
動作点制御手段１３は、光変調手段１１から出力される光信号の一部が入射する場合に光変調手段１１の動作点を最適に維持することができる。
【００２１】
一方、光分岐手段１０によって分岐した第２の分岐入力光は、光検出手段１５によって光強度が検出され、光検出手段１５は、その光強度に応じた信号を出力する。例えば、光検出手段１５は、光強度が所定（以降、予め設定された閾値を意味する）の値以下になった場合に信号を出力する。あるいは、光検出手段１５は、光強度が０になった場合に信号を出力する。この光強度に応じた信号は、動作点制御手段１３が動作点を安定に維持することができるように動作点制御手段１３の動作を制御する制御手段１４に入力される。
【００２２】
制御手段１４は、光検出手段１５から信号を受信すると動作点制御手段１３の作動を止める制御を行う。あるいは、作点制御手段１３が動作点を一定の範囲内に維持するように制御を行う。
このように光検出手段１５によって入力光が所定の光強度以下であるか否かを検出することができる。このため、入力光が所定の光強度以下の場合では、制御手段１４は、光検出手段１５の出力に応じて動作点制御手段１３が動作点を安定に維持するように制御することができる。よって、このような構成の光通信装置では入力光が一時的にない場合でも、動作点は、安定に維持される。
【００２３】
もちろん、光変調手段１１を使用すべく入力光が所定の光強度よりも大きくなると、光検出手段１５から信号は、出力されない。よって、動作点制御手段１３は、光分岐手段１２を介して入射する光変調手段１１の出力のみによって動作点を最適に制御する。
（本発明に関連した第２の技術および第３の技術）
図２は、本発明に関連した第２の技術、第３の技術に記載の光通信装置のブロック図である。
【００２４】
なお、第１の技術と同一の構成については同一の符号を付し、説明を省略する。
図２において、この光通信装置は、光変調手段１１と光分岐手段２１と動作点制御手段１３と制御手段１４と光検出手段２３とから構成される。
入力ポートに入力した入力光は、光変調手段１１によって変調される。この被変調光信号は、光を３つに分岐する光分岐手段２１によって分岐される。
【００２５】
この光分岐手段２１によって分岐した第１の分岐光信号は、出力ポートに出力される。一方、光分岐手段２１によって分岐された第２の分岐光信号は、動作点制御手段１３に入射する。
【００２６】
一方、被変調光信号の光分岐手段２１によって分岐した第３の分岐入力光は、光検出手段２３によって光強度が検出され、光検出手段２３は、その光強度に応じた信号を出力する。例えば、光検出手段２３は、被変調光信号の光強度が所定の値以下になった場合に信号を出力する。あるいは、光検出手段２３は、その光強度が０になった場合に信号を出力する。この光強度に応じた信号は、制御手段１４に入力される。
【００２７】
このように入力光が所定の光強度以下の場合には、光変調手段１１から出力される被変調光信号も所定の光強度以下となる。このため、光検出手段２３により被変調光信号の光強度を検出することによって入力光が所定の光強度以下であるか否かを検出することができる。よって、制御手段１４は、光検出手段２３の出力に応じて動作点制御手段１３が動作点を安定に維持するように制御することができる。したがって、このような構成の光通信装置では入力光が一時的にない場合でも、動作点は、安定に維持される。
【００２８】
もちろん、光変調手段１１を使用すべく入力光が所定の光強度よりも大きくなると、光検出手段２３から信号は、出力されない。よって、動作点制御手段１３は、光分岐手段２１を介して入射する光変調手段１１の出力のみによって動作点を最適に制御する。
（本発明に関連した第４の技術および第５の技術）
図３は、本発明に関連した第４の技術、第５の技術に記載の光通信装置のブロック図である。
【００２９】
なお、第１の技術と同一の構成については同一の符号を付し、説明を省略する。
図３において、この光通信装置は、光変調手段１１と光分岐手段１２と動作点制御手段１３と制御手段２５と変調信号検出手段２６とから構成される。
入力ポートに入力した入力光は、光変調手段１１によって変調され、この変調された被変調光信号は、光分岐手段１２によって分岐する。
【００３０】
この光分岐手段１２によって分岐した第１の分岐光信号は、出力ポートに出力される。一方、光分岐手段２１によって分岐した第２の分岐光信号は、動作点制御手段１３に入射する。
一方、送出すべき変調信号は、光変調手段１１に入力するだけでなく、変調信号検出手段２６にも入力される。この変調信号検出手段２６は、変調信号の信号強度を検出し、その信号強度に応じた信号を出力する。例えば、変調信号検出手段２６は、信号強度が所定の値以下になった場合に信号を出力する。あるいは、変調信号検出手段２６は、信号強度が０になった場合に信号を出力する。この信号強度に応じた信号は、制御手段２５に入力される。
【００３１】
制御手段２５は、変調信号検出手段２６から信号を受信すると動作点制御手段１３の作動を止める制御を行う。あるいは、作点制御手段１３が動作点を一定の範囲内に維持するように制御を行う。
このように変調信号検出手段２６によって変調信号が所定の信号強度以下であるか否かを検出することができる。このため、変調信号が所定の信号強度以下の場合では、制御手段２５は、変調信号検出手段２６の出力に応じて動作点制御手段１３が動作点を安定に維持するように制御することができる。よって、このような構成の光通信装置では変調信号が一時的にない場合でも、動作点は、安定に維持される。
【００３２】
もちろん、通信したい情報があって送出すべき変調信号が所定の信号強度よりも大きくなると、変調信号検出手段２６から信号は、出力されない。よって、動作点制御手段１３は、光分岐手段１２を介して入射する光変調手段１１の出力のみによって動作点を最適に制御する。
（本発明に関連した第６の技術）
図４は、本発明に関連した第６の技術に記載の光通信装置のブロック図である。
【００３３】
図４において、この光通信装置は、光分岐手段１０と光変調手段１１と光減衰手段３１と減衰量制御手段３２と光検出手段３３とから構成される。
なお、図４は、光分岐手段１０から出力された第１の分岐入力光が、光減衰手段３１と光変調手段１１とを介して出力ポートに出力される構成を示す。一方、光変調手段１１と光減衰手段３１とを介して出力ポートに出力される構成は、同図において光減衰手段３１を破線で示し、その説明を省略する。また、第１の技術と同一の構成については同一の符号を付し、その説明を省略する。
【００３４】
入力ポートに入力した入力光は、光分岐手段１０によって分岐する。この光分岐手段１０によって分岐した第１の分岐入力光は、光減衰手段３１を介して光変調手段１１に入射し、これによって変調される。この光変調手段１１からの変調された被変調光信号は、出力ポートに出力される。
光減衰手段３１は、入力する入力光を透過または所定の光強度（０を含む。）まで減衰して出力する。あるいは、光減衰手段３１は、１入力複数出力の光スイッチである。光減衰手段３１が光スイッチの場合は、１つの出力端子を光変調手段１１に接続し、別の出力端子には何も接続しない。
【００３５】
一方、光分岐手段１０によって分岐した第２の分岐入力光は、光検出手段３３によって光強度が検出され、光検出手段３３は、その光強度に応じた信号を出力する。例えば、光検出手段３３は、光強度が所定の値以下になった場合に信号を出力する。あるいは、光検出手段３３は、光強度が０になった場合に信号を出力する。この光強度に応じた信号は、減衰量制御手段３２に入力される。
【００３６】
減衰量制御手段３２は、光減衰手段３１の制御を行う。すなわち、減衰量制御手段３２は、光検出手段３３の信号に応じて光減衰手段３１が入力光を所定の光強度まで減衰するように制御する。あるいは、減衰量制御手段３２は、光減衰手段が光スイッチである場合には光検出手段３３の信号に応じて入力光を何も接続していない出力端子にスイッチして送出する。
【００３７】
このように光検出手段３３によって入力光が所定の光強度以下であるか否かを検出することができる。このため、入力光が所定の光強度以下の場合では、減衰量制御手段３２は、光検出手段３３の出力に応じて光減衰手段３１を制御することによって入力光を所定の光強度まで減衰して光変調手段１１に入力することができる。あるいは、光変調手段１１に接続していない端子に送出することができる。よって、このような構成の光通信装置は、入力光がない場合にＡＳＥを出力ポートに送出しない。
【００３８】
もちろん、光変調手段１１を使用すべく入力光が所定の光強度よりも大きくなると、光検出手段３３から信号は、出力されない。このとき減衰量制御手段３２は、光減衰手段３１を入力光が透過するように、あるいは、光変調手段１１に接続する端子にスイッチするように制御する。
（本発明に関連した第７の技術）
図５は、本発明に関連した第７の技術に記載の光通信装置のブロック図である。
【００３９】
図５において、この光通信装置は、光分岐手段１０と光変調手段１１と光検出手段３３と変調制御手段３５とから構成される。
なお、第１の技術または第６の技術と同一の構成については同一の符号を付し、その説明を省略する。
入力ポートに入力した入力光は、光分岐手段１０によって分岐する。この光分岐手段１０によって分岐した第１の分岐入力光は、光変調手段１１によって変調され、変調された被変調光信号は、出力ポートに出力される。
【００４０】
一方、光分岐手段１０によって分岐した第２の分岐入力光は、光検出手段３３によって光強度が検出され、その光強度に応じた信号を出力する。この光強度に応じた信号は、変調制御手段３５に入力する。
変調制御手段３５は、光変調手段１１の制御を行う。すなわち、変調制御手段３５は、光変調手段を光検出手段３３の信号に応じて入力光を所定の光強度まで減衰するように制御する。例えば、光変調手段１１にエネルギーを供給しないことによって出力を無くすことができる。あるいは、ＭＺ変調器の場合には、ＭＺ変調器内における２つの光導波路に分岐した入力光の各位相をずらして１８０度の位相差を作ることによって出力を無くすことができる。あるいは、音響光学効果を利用した光変調手段の場合には、入力光の波長以外の波長を選択するＲＦ信号を印加することにより出力を無くすことができる。
【００４１】
このように光検出手段３３によって入力光が所定の光強度以下であるか否かを検出することができる。このため、入力光が所定の光強度以下の場合では、変調制御手段３５は、光検出手段３３の出力に応じて光変調手段１１を制御することによってその出力を無くすことができる。このため、このような構成の光通信装置は、入力光があって変調信号がない場合でも、ＡＳＥおよび変調信号によって変調されてない入力光を出力ポートに出力しない。
【００４２】
もちろん、光変調手段１１を使用すべく入力光が所定の光強度よりも大きくなると、光検出手段３３から信号は、出力されない。このとき光変調手段１１は、変調制御手段３５から信号を受信しないから、変調手段として正常に作動する。
（本発明に関連した第８の技術）
図６は、本発明に関連した第８の技術に記載の光通信装置のブロック図である。
【００４３】
図６において、この光通信装置は、光減衰手段３１と光変調手段１１と減衰量制御手段４１と変調信号検出手段４２とから構成される。
なお、図６は、入力ポートに入力する入力光が、光減衰手段３１と光変調手段１１とを介して出力ポートに出力される構成を示す。一方、光変調手段１１と光減衰手段３１とを介して出力ポートに出力される構成は、同図において光減衰手段３１を破線で示し、その説明を省略する。
【００４４】
また、第１の技術または第６の技術と同一の構成については同一の符号を付し、その説明を省略する。
入力ポートに入力した入力光は、光減衰手段３１を介して光変調手段１１に入射し、これによって変調される。この光変調手段１１からの被変調光信号は、出力ポートに出力される。
【００４５】
一方、送出すべき変調信号は、光変調手段１１に入力するだけでなく、変調信号検出手段４２にも入力される。この変調信号検出手段４２は、変調信号の信号強度を検出し、その信号強度に応じた信号を出力する。例えば、変調信号検出手段４２は、信号強度が所定の値以下になった場合に信号を出力する。あるいは、変調信号検出手段４２は、信号強度が０になった場合に信号を出力する。この信号強度に応じた信号は、減衰量制御手段４１に入力される。
【００４６】
減衰量制御手段４１は、光減衰手段３１の制御を行う。すなわち、減衰量制御手段４１は、変調信号検出手段４２の信号に応じて光減衰手段３１が入力光を所定の光強度まで減衰するように制御する。あるいは、減衰量制御手段４１は、光減衰手段３１が光スイッチである場合には、光検出手段３３の信号に応じて入力光を何も接続していない出力端子にスイッチして送出する。
【００４７】
このように変調信号検出手段４２によって変調信号が所定の信号強度以下であるか否かを検出することができる。このため、変調信号が所定の信号強度以下の場合では、減衰量制御手段４１は、変調信号検出手段４２の出力に応じて減衰手段３１を制御することによって入力光を光変調手段１１に所定の光強度まで減衰して入力することができる。あるいは、光変調手段１１に接続していない端子に送出することができる。よって、このような構成の光通信装置は、入力光がない場合にＡＳＥを出力ポートに送出しない。さらに、入力光があって変調信号がない場合でも、ＡＳＥおよび変調信号によって変調されてない入力光を出力ポートに出力しない。
【００４８】
もちろん、通信したい情報があって送出すべき変調信号が所定の信号強度よりも大きくなると、変調信号検出手段４２から信号は、出力されない。このとき減衰量制御手段３２は、光減衰手段３１を入力光が透過するように、あるいは、光変調手段１１に接続する端子にスイッチするように制御する。
（本発明に関連した第９の技術）
図７は、本発明に関連した第９の技術に記載の光通信装置のブロック図である。
【００４９】
図７において、この光通信装置は、光変調手段１１と変調信号検出手段４２と変調制御手段４５とから構成される。
なお、第１の技術または第８の技術と同一の構成については同一の符号を付し、説明を省略する。
入力ポートに入力した入力光は、光変調手段１１によって変調され、変調された変調光信号は、出力ポートに出力される。
【００５０】
一方、送出すべき変調信号は、光変調手段１１に入力するだけでなく、変調信号検出手段４２にも入力される。この変調信号検出手段４２は、その信号強度に応じた信号を出力し、その出力された信号は、変調制御手段４５に入力される。
変調制御手段４５は、光変調手段１１の制御を行う。すなわち、変調制御手段４５は、光変調手段を変調信号検出手段４２の信号に応じて入力光を所定の光強度まで減衰するように制御する。例えば、光変調手段１１にエネルギーを供給しないことによって出力を無くすことができる。あるいは、ＭＺ変調器の場合には、ＭＺ変調器内における２つの光導波路に分岐した入力光の各位相をずらして１８０度の位相差を作ることによって出力を無くすことができる。あるいは、音響光学効果を利用した光変調手段の場合には、入力光の波長以外の波長を選択するＲＦ信号を印加することにより出力を無くすことができる。
【００５１】
このように変調信号検出手段４２によって変調信号が所定の信号強度以下であるか否かを検出することができる。このため、変調信号が所定の信号強度以下の場合では、変調制御手段４５は、光変調手段１１を制御することによって出力を無くすことができる。このため、このような構成の光通信装置は、入力光があって変調信号がない場合でも、ＡＳＥおよび変調信号によって変調されてない入力光を出力ポートに出力しない。
【００５２】
もちろん、通信したい情報があって送出すべき変調信号が所定の信号強度よりも大きくなると、変調信号検出手段４２から信号は、出力されない。このとき光変調手段１１は、変調制御手段４５から信号を受信しないから、変調手段として正常に作動する。
（本発明に関連した第１０の技術）
図８は、本発明に関連した第１０の技術に関し、第１の技術に光減衰手段を付設した光通信装置のブロック図である。なお、第１０の技術は、第１の技術、第２の技術、第４の技術のいずれか１項に光減衰手段を光変調手段の入力または出力の一方に付設して構成するが、図８は、このうち第１の技術に光減衰手段を光変調手段の入力に付設した場合の光通信装置のブロック図である。
【００５３】
以下、この場合の第１０の技術の構成について説明し、その他の場合については、その説明を省略する。また、第１の技術と同一の構成については同一の符号を付し、説明を省略する。
図８において、この光通信装置は、光分岐手段１０、１２と光減衰手段５０と光変調手段１１と動作点制御手段１３と制御手段１４と光検出手段１５とから構成される。
【００５４】
入力ポートに入力した入力光は、光分岐手段１０によって分岐し、この分岐した第１の分岐入力光は、光減衰手段５０に入力する。この光減衰手段５０からの出力光は、光変調手段１１によって変調される。この変調された変調光信号は、光分岐手段１２によって分岐する。この光分岐手段１２によって分岐した第１の分岐光信号は、出力ポートに出力される。一方、光分岐手段１２によって分岐した第２の分岐光信号は、動作点制御手段１３に入射する。
【００５５】
光減衰手段５０は、入力する光の強度に応じて入力光を透過または所定の光強度（０を含む。）まで減衰して出力する。あるいは、光減衰手段５０は、１入力複数出力の光スイッチである。光減衰手段５０が光スイッチの場合は、１つの出力端子を光変調手段１１に接続し、別の出力端子には何も接続しない。
一方、光分岐手段１０によって分岐した第２の分岐入力光は、光検出手段１５によって光強度が検出され、光検出手段１５は、その光強度に応じた信号を出力する。この光強度に応じた信号は、制御手段１４に入力される。
【００５６】
このような光通信装置では、第１の技術に記載の光通信装置と同様に動作するだけではなく、入力光がない場合にＡＳＥを出力ポートに送出しない。
つまり、光減衰手段５０は、入力光が所定の光強度以下であるか否かを判断して入力光を減衰する。このため、入力する光の強度が所定の光強度以下の場合には、入力光を所定の光強度まで減衰して出力する。あるいは、光減衰手段５０が光スイッチの場合にあっては、入力する光の強度が所定の光強度以下の場合、入力光を何も接続していない出力端子にスイッチして送出する。よって、このような構成の光通信装置は、入力光がない場合にＡＳＥを出力ポートに送出しない。
【００５７】
もちろん、光変調手段１１を使用すべく入力光が所定の光強度よりも大きくなると、光減衰手段５０は、入力光を透過して出力する。あるいは、光減衰手段５０が光スイッチの場合にあっては、光変調手段１１に接続する端子にスイッチして送出する。
（本発明に関連した第１１の技術）
図９は、本発明に関連した第１１の技術に関し、第１の技術の光変調手段を変調信号に応じて制御するようにした光通信装置のブロック図である。なお、第１１の技術は、第１の技術、第２の技術、第４の技術のいずれか１項において光変調手段を変調信号に応じて制御するように光通信装置を構成するが、図９は、このうち第１の技術の光変調手段を変調信号に応じて制御するようにした場合の光通信装置のブロック図である。
【００５８】
以下、この場合の第１１の技術の構成について説明し、その他の場合については、その説明を省略する。また、第１の技術と同一の構成については同一の符号を付し、説明を省略する。
図９において、この光通信装置は、光分岐手段１０、１２と光変調手段５５と動作点制御手段１３と制御手段１４と光検出手段１５とから構成される。
【００５９】
入力ポートに入力した入力光は、光分岐手段１０によって分岐し、分岐した第１の分岐入力光は、光変調手段５５によって送出すべき変調信号に応じて変調される。この光変調手段５５からの変調された被変調光信号は、光を２つに分岐する光分岐手段１２によって分岐する。
光変調手段５５は、変調信号の信号強度または入力する光強度に応じて出力するか否かを制御する。
【００６０】
この光分岐手段１２によって分岐した第１の分岐光信号は、出力ポートに出力される。一方、光分岐手段１２によって分岐した第２の分岐光信号は、動作点制御手段１３に入射する。
一方、光分岐手段１０によって分岐した第２の分岐入力光は、光検出手段１５によって光強度が検出され、光検出手段１５は、その光強度に応じた信号を出力する。この信号は、制御手段１４に入力される。
【００６１】
このような光通信装置では、第１の技術に記載の光通信装置と同様に動作するだけではなく、入力光がない場合にＡＳＥを出力ポートに送出しない。
光変調手段５５は、入力する入力光が所定の光強度以下であるか否かを判断する。または、変調信号の信号強度が所定の信号強度以下であるか否かを判断する。この結果、入力光が所定の光強度以下の場合や変調信号の信号強度が所定の信号強度以下の場合では、光変調手段５５は、出力を無くす。例えば、光変調手段５５にエネルギーを供給しないことによって出力を無くすことができる。あるいは、ＭＺ変調器の場合には、ＭＺ変調器内における２つの光導波路に分岐した入力光の各位相をずらして１８０度の位相差を作ることによって出力を無くすことができる。あるいは、音響光学効果を利用した光変調手段の場合には、入力光の波長以外の波長を選択するＲＦ信号を印加することにより出力を無くすことができる。このため、このような構成の光通信装置は、入力光があって変調信号がない場合でも、ＡＳＥおよび変調信号によって変調されてない入力光を出力ポートに出力しない。
【００６２】
もちろん、光変調手段５５を使用すべく入力光が所定の光強度よりも大きくなるかまたは変調信号が所定の信号強度よりも大きくなると、光変調手段５５は、変調手段として正常に作動する。
（本発明に関連した第１２の技術）
図１０は、本発明に関連した第１２の技術に記載の光通信装置のブロック図である。
【００６３】
図１０において、この光通信装置は、光分岐手段１０、１２と光変調手段１１と動作点制御手段１３と制御手段１４と光検出手段１５と光減衰手段３１と減衰量制御手段４１と変調信号検出手段４２とから構成される。
なお、図１０は、光検出手段１５が入力光を検出し、光減衰手段３１が光分岐手段１０と光変調手段１１との間に挿入される場合の構成を示す。一方、光検出手段１５が出力光を検出する場合の構成は、同図において破線で図示する。また、光減衰手段３１が、光変調手段１１と光分岐手段１２との間に接続される場合の構成は、同図において破線で図示する。そして、これらの場合については、その説明を省略する。
【００６４】
また、第１の技術または第８の技術と同一の構成については同一の符号を付し、その説明を省略する。
入力ポートに入力した入力光は、光分岐手段１０によって分岐し、分岐した第１の分岐入力光は、光減衰手段３１を介して光変調手段１１に入射する。入射した光は、光変調手段１１によって変調され、変調された被変調光信号は、光分岐手段１２によって分岐する。
【００６５】
この光分岐手段１２によって分岐した第１の分岐光信号は、出力ポートに出力される。一方、光分岐手段１２によって分岐した第２の分岐光信号は、動作点制御手段１３に入射する。
一方、光分岐手段１０によって分岐した第２の分岐入力光は、光検出手段１５によって光強度が検出され、その光強度に応じた信号が出力される。この光強度に応じた信号は、制御手段１４に入力される。
【００６６】
また、送出すべき変調信号は、光変調手段１１に入力するだけでなく、変調信号検出手段４２にも入力され、これによって変調信号の信号強度が検出される。その信号強度に応じた信号を出力する。この出力された信号は、減衰量制御手段４１に入力される。
このように光検出手段１５によって入力光が所定の光強度以下であるか否かを検出することができる。このため、入力光が所定の光強度以下の場合では、制御手段１４は、光検出手段１５の出力に応じて動作点制御手段１３が動作点を安定に維持するように制御することができる。よって、このような構成の光通信装置では入力光が一時的にない場合でも、動作点は、安定に維持される。
【００６７】
もちろん、光変調手段１１を使用すべく入力光が所定の光強度よりも大きくなると、光
検出手段１５から信号は、出力されない。よって、動作点制御手段１３は、光分岐手段１２を介して入射する光変調手段１１の出力のみによって動作点を最適に制御する。
さらに、変調信号検出手段４２によって変調信号が所定の信号強度以下であるか否かを検出することができる。このため、変調信号が所定の信号強度以下の場合では、減衰量制御手段４１は、変調信号検出手段４２の出力に応じて減衰手段３１を制御することによって入力光を光変調手段１１に所定の光強度まで減衰して入力することができる。あるいは、光変調手段１１に接続していない端子に送出することができる。よって、このような構成の光通信装置は、入力光がない場合にＡＳＥを出力ポートに送出しない。さらに、入力光があって変調信号がない場合でも、ＡＳＥおよび変調信号によって変調されてない入力光を出力ポートに出力しない。
【００６８】
もちろん、通信したい情報があって送出すべき変調信号が所定の信号強度よりも大きくなると、変調信号検出手段４２から信号は、出力されない。このとき減衰量制御手段４１は、光減衰手段３１を入力光が透過するように、あるいは、光変調手段１１に接続する端子にスイッチするように制御する。
【００６９】
（本発明に関連した第１３の技術）
図１１は、本発明に関連した第１３の技術に記載の光通信装置のブロック図である。
図１１において、この光通信装置は、光分岐手段１０、１２と光変調手段１１と動作点制御手段１３と制御手段１４と光検出手段１５と変調信号検出手段４２と変調制御手段４５とから構成される。
【００７０】
なお、図１１は、光検出手段１５が入力光を検出する場合の構成を示す。一方、光検出手段１５が出力光を検出する場合の構成は、同図において破線で図示し、その説明を省略する。
また、第１の技術または第９の技術と同一の構成については同一の符号を付し、その説明を省略する。
【００７１】
入力ポートに入力した入力光は、光分岐手段１０によって分岐し、分岐した第１の分岐入力光は、光変調手段１１に入射する。入射した光は、光変調手段１１によって変調され、変調された変調光信号は、光分岐手段１２によって分岐する。
この光分岐手段１２によって分岐した第１の分岐光信号は、出力ポートに出力される。一方、光分岐手段１２によって分岐した第２の分岐光信号は、動作点制御手段１３に入射する。
【００７２】
一方、光分岐手段１０によって分岐した第２の分岐入力光は、光検出手段１５によって光強度が検出され、その光強度に応じた信号が出力される。この光強度に応じた信号は、制御手段１４に入力される。
また、送出すべき変調信号は、光変調手段１１に入力するだけでなく、変調信号検出手段４２にも入力される。この変調信号検出手段４２は、その信号強度に応じた信号を出力し、その出力された信号は、変調制御手段４５に入力される。
【００７３】
このように光検出手段１５によって入力光が所定の光強度以下であるか否かを検出することができる。このため、入力光が所定の光強度以下の場合では、制御手段１４は、光検出手段１５の出力に応じて動作点制御手段１３が動作点を安定に維持するように制御することができる。よって、このような構成の光通信装置では入力光が一時的にない場合でも、動作点は、安定に維持される。
【００７４】
もちろん、光変調手段１１を使用すべく入力光が所定の光強度よりも大きくなると、光検出手段１５から信号は、出力されない。よって、動作点制御手段１３は、光分岐手段１
２を介して入射する光変調手段１１の出力のみによって動作点を最適に制御する。
さらに、変調信号検出手段４２によって変調信号が所定の信号強度以下であるか否かを検出することができる。このため、変調信号が所定の信号強度以下の場合では、変調制御手段４５は、光変調手段１１を制御することによって出力を無くすことができる。このため、このような構成の光通信装置は、入力光があって変調信号がない場合でも、ＡＳＥおよび変調信号によって変調されてない入力光を出力ポートに出力しない。
【００７５】
もちろん、通信したい情報があって送出すべき変調信号が所定の信号強度よりも大きくなると、変調信号検出手段４２から信号は、出力されない。このとき光変調手段１１は、変調制御手段４５から信号を受信しないから、変調手段として正常に作動する。
（本発明に関連した第１４の技術）
図１２は、本発明に関連した第１４の技術に記載の光通信装置のブロック図である。
【００７６】
図１２において、この光通信装置は、光分岐手段１０、１２と光変調手段１１と動作点制御手段１３と制御手段１４と光検出手段１５と光減衰手段３１と減衰量制御手段６１と変調信号検出手段４２とから構成される。
なお、図１０は、光検出手段１５が入力光を検出し、光減衰手段３１が光分岐手段１０と光変調手段１１との間に挿入される場合の構成を示す。一方、光検出手段１５が出力光を検出する場合の構成は、同図において破線で図示する。また、光減衰手段３１が、光変調手段１１と光分岐手段１２との間に接続される場合の構成は、同図において破線で図示する。そして、これらの場合については、その説明を省略する。
【００７７】
また、第１の技術または第８の技術と同一の構成については同一の符号を付し、その説明を省略する。
入力ポートに入力した入力光は、光分岐手段１０によって分岐し、分岐した第１の分岐入力光は、光減衰手段３１を介して光変調手段１１に入射する。入射した光は、光変調手段１１によって変調され、変調された光信号は、光分岐手段１２によって分岐する。
【００７８】
この光分岐手段１２によって分岐した第１の分岐光信号は、出力ポートに出力される。一方、光分岐手段１２によって分岐した第２の分岐光信号は、動作点制御手段１３に入射する。
一方、光分岐手段１０によって分岐した第２の分岐入力光は、光検出手段１５によって光強度が検出され、その光強度に応じた信号が出力される。この光強度に応じた信号は、制御手段１４および減衰量制御手段６１に入力される。
【００７９】
また、送出すべき変調信号は、光変調手段１１に入力するだけでなく、変調信号検出手段４２にも入力され、これによって変調信号の信号強度が検出される。その信号強度に応じた出力信号は、減衰量制御手段６１に入力される。
減衰量制御手段６１は、光減衰手段３１の制御を行う。すなわち、減衰量制御手段６１は、光検出手段１５の信号と変調信号検出手段４２の信号との和をとって光減衰手段３１が入力光を所定の光強度まで減衰するように制御する。あるいは、減衰量制御手段４１は、光減衰手段３１が光スイッチである場合には、光検出手段３３の信号に応じて入力光を何も接続していない出力端子にスイッチして送出する。
【００８０】
このように光検出手段１５によって入力光が所定の光強度以下であるか否かを検出することができる。このため、入力光が所定の光強度以下の場合に、制御手段１４は、光検出手段１５の出力に応じて動作点制御手段１３が動作点を安定に維持するように制御することができる。よって、このような構成の光通信装置では入力光が一時的にない場合でも、動作点は、安定に維持される。
【００８１】
もちろん、光変調手段１１を使用すべく入力光が所定の光強度よりも大きくなると、光検出手段１５から信号は、出力されない。よって、動作点制御手段１３は、光分岐手段１２を介して入射する光変調手段１１の出力のみによって動作点を最適に制御する。
さらに、変調信号検出手段４２によって変調信号が所定の信号強度以下であるか否かを検出することができる。また、減衰量制御手段６１は、光検出手段１５からの信号も入力され、この信号と変調信号検出手段４２からの信号との和が取られる。このため、入力光が所定の光強度以下の場合または変調信号が所定の信号強度以下の場合では、減衰量制御手段６１は、減衰手段３１を制御することによって入力光を光変調手段１１に所定の光強度まで減衰して入力することができる。あるいは、光変調手段１１に接続していない端子に送出することができる。よって、このような構成の光通信装置は、入力光がない場合にＡＳＥを出力ポートに送出しない。さらに、入力光があって変調信号がない場合でも、ＡＳＥおよび変調信号によって変調されてない入力光を出力ポートに出力しない。
【００８２】
もちろん、通信したい情報があって送出すべき変調信号が所定の信号強度よりも大きくなり、入力光が所定の光強度よりも大きくなると、減衰量制御手段６１は、光減衰手段３１を入力光が透過するように、あるいは、光変調手段１１に接続する端子にスイッチするように制御する。
（本発明に関連した第１５の技術）
図１３は、本発明に関連した第１５の技術に記載の光通信装置のブロック図である。
【００８３】
図１３において、この光通信装置は、光分岐手段１０、１２と光変調手段１１と動作点制御手段１３と制御手段１４と光検出手段１５と変調信号検出手段４２と変調制御手段６５とから構成される。
【００８４】
なお、図１３は、光検出手段１５が入力光を検出する場合の構成を示す。一方、光検出手段１５が出力光を検出する場合の構成は、同図において破線で図示し、その説明を省略する。
また、第１の技術または第９の技術と同一の構成については同一の符号を付し、その説明を省略する。
【００８５】
入力ポートに入力した入力光は、光分岐手段１０によって分岐し、分岐した第１の分岐入力光は、光変調手段１１に入射する。入射した光は、光変調手段１１によって変調され、変調された光信号は、光分岐手段１２によって分岐する。
この光分岐手段１２によって分岐した第１の分岐光信号は、出力ポートに出力される。一方、光分岐手段１２によって分岐した第２の分岐光信号は、動作点制御手段１３に入射する。
【００８６】
一方、光分岐手段１０によって分岐した第２の分岐入力光は、光検出手段１５によって光強度が検出され、その光強度に応じた信号が出力される。この光強度に応じた信号は、制御手段１４および変調制御手段６５に入力される。
また、送出すべき変調信号は、光変調手段１１に入力するだけでなく、変調信号検出手段４２にも入力される。この変調信号検出手段４２は、その信号強度に応じた信号を出力し、その出力された信号は、変調制御手段６５に入力される。
【００８７】
変調制御手段６５は、光変調手段１１の制御を行う。すなわち、変調制御手段６５は、光検出手段１５からの信号と変調信号検出手段４２からの信号の和をとって入力光を所定の光強度まで減衰するように制御する。例えば、光変調手段１１にエネルギーを供給しないことによって出力を無くすことができる。あるいは、ＭＺ変調器の場合には、ＭＺ変調器内における２つの光導波路に分岐した入力光の各位相をずらして１８０度の位相差を作ることによって出力を無くすことができる。あるいは、音響光学効果を利用した光変調手
段の場合には、入力光の波長以外の波長を選択するＲＦ信号を印加することにより出力を無くすことができる。
【００８８】
このように光検出手段１５によって入力光が所定の光強度以下であるか否かを検出することができる。このため、入力光が所定の光強度以下の場合では、制御手段１４は、光検出手段１５の出力に応じて動作点制御手段１３が動作点を安定に維持するように制御することができる。よって、このような構成の光通信装置では入力光が一時的にない場合でも、動作点は、安定に維持される。
【００８９】
もちろん、光変調手段１１を使用すべく入力光が所定の光強度よりも大きくなると、光検出手段１５から信号は、出力されない。よって、動作点制御手段１３において、動作点は、光分岐手段１２を介して入射する光変調手段１１の出力のみによって最適に制御される。
さらに、変調信号検出手段４２によって変調信号が所定の信号強度以下であるか否かを検出することができる。また、変調制御手段６５は、光検出手段１５からの信号も入力され、この信号と変調信号検出手段４２からの信号との和が取られる。このため、入力光が所定の光強度以下の場合または変調信号が所定の信号強度以下の場合では、変調制御手段６５は、光変調手段１１を制御することによって出力を無くすことができる。このため、このような構成の光通信装置は、入力光があって変調信号がない場合でも、ＡＳＥおよび変調信号によって変調されてない入力光を出力ポートに出力しない。
【００９０】
もちろん、通信したい情報があって送出すべき変調信号が所定の信号強度よりも大きくなり、入力光が所定の光強度よりも大きくなると、光検出手段１５は、変調制御手段６５に信号を送信しない。よって、光変調手段１１は、変調制御手段６５から信号を受信しないから、変調手段として正常に作動する。
（本発明に関連した第１６の技術）
図１４は、本発明に関連した第１６の技術に関し、第１の技術の光変調手段を光挿入手段として使用した光分岐・挿入装置のブロック図である。なお、第１６の技術は、光分岐・挿入手段と光波長分岐手段と光挿入手段とを備える光分岐・挿入装置において、第１の技術、第２の技術、第４の技術、第６の技術、第７の技術、第８の技術、第９の技術のいずれか１項に記載の光通信装置を光挿入手段として使用することで構成するが、図１４は、このうち第１の技術の光通信装置をその光挿入手段として使用して構成する光分岐・挿入装置のブロック図である。
【００９１】
以下、この場合の第１６の技術の構成について説明し、その他の場合については、その説明を省略する。また、第１の技術と同一の構成については同一の符号を付し、説明を省略する。
図１４において、この光分岐・挿入装置は、分岐・挿入手段７０と光波長分岐手段７３と光挿入手段７５とからなる。
【００９２】
なお、光分岐・挿入装置は、実際には、分岐または挿入する波長の数だけ光波長分岐手段７３および光挿入手段７５を備えて構成される。しかしながら、各光波長分岐手段７３は、受信処理する波長が異なるのみでその構成は同一であり、また、各光挿入手段７５も、挿入光の波長が異なるのみでその構成は同一であるので、図１４には、複数の光分岐手段７３および光挿入手段７５のうちの１つだけを実線で図示し、その他を破線で図示する。
【００９３】
この分岐・挿入手段７０は、波長多重した光信号を伝送する光伝送路に接続され、この光伝送路上の光信号に対して少なくとも１つの波長の光信号を分岐および挿入する。分岐する場合は、光波長分岐手段７３の数に応じて光信号を分配する光分配手段７２を介して光波長分岐手段７３に光信号を分岐する。挿入する場合は、各光挿入手段７５からの挿入
光を光合波手段７４で合波し、この光分岐・挿入装置を透過する光信号ともに波長多重して光伝送路に送出する。
【００９４】
光波長分岐手段７３は、分配された光信号を波長ごとに受信処理する。一方、光挿入手段７５は、光伝送路上の光信号に挿入する挿入光を生成する。
以下、この光挿入手段７５の構成を説明する。
光挿入手段７５は、光分岐手段１０、１２と光変調手段１１と動作点制御手段１３と制御手段１４と光検出手段１５とから構成される。
【００９５】
入力ポートに入力した特定の波長の入力光は、光分岐手段１０によって分岐する。この光分岐手段１０によって分岐した第１の分岐入力光は、光変調手段１１によって変調され、変調された被変調光信号は、光分岐手段１２によって分岐する。なお、特定の波長は、各光挿入手段７５間において互いに異なる。
この光分岐手段１２によって分岐した第１の分岐光信号は、出力ポートに出力され、光合波手段７４に入射する。一方、光分岐手段１２によって分岐した第２の分岐光信号は、光変調手段１１の動作点を制御する動作点制御手段１３に入射する。
【００９６】
一方、光分岐手段１０によって分岐した第２の分岐入力光は、光検出手段１５によって光強度が検出され、光検出手段１５は、その光強度に応じた信号を出力し、制御手段１４に入力される。
このように光検出手段１５によって入力光が所定の光強度以下であるか否かを検出することができる。このため、入力光が所定の光強度以下の場合では、制御手段１４は、光検出手段１５の出力に応じて動作点制御手段１３が動作点を安定に維持するように制御することができる。よって、このような構成の光分岐・挿入装置では、挿入光を分岐・挿入手段７０に供給しないために、光挿入手段７５の入力光がない場合でも、この光挿入手段７５の動作点は、安定に維持される。
もちろん、この光挿入手段７５によって挿入光を発生すべく入力光が所定の光強度よりも大きくなると、光検出手段１５から信号は、出力されない。よって、動作点制御手段１３は、光分岐手段１２を介して入射する光変調手段１１の出力のみによって動作点を最適に制御する。
【発明の効果】
【００９７】
第１の技術ないし第５の技術に記載の発明では、光変調手段の入力光または出力および変調信号をモニタするので、光通信装置に入力光または変調信号が一時的にない場合でも、光変調手段の動作点を安定に維持することができる。
また、第６の技術ないし第９の技術に記載の発明では、光変調手段の入力光または出力および変調信号をモニタするので、光通信装置に入力光または変調信号が一時的にない場合でも、ＡＳＥおよび変調信号によって変調されてない入力光を出力することがない。
さらに、第１０の技術ないし第１５の技術に記載の発明では、光変調手段の入力光または出力および変調信号をモニタするので、光通信装置に入力光または変調信号が一時的にない場合でも、光変調手段の動作点を安定に維持することができ、ＡＳＥおよび変調信号によって変調されてない入力光を出力しない。
また、第１６の技術に記載の光分岐・挿入装置では、使用されていない挿入装置がある場合でも、その挿入装置における光変調手段の入力光または出力および変調信号をモニタするので、光変調手段の動作点を安定に維持するとともに、その挿入装置からＡＳＥおよび変調信号によって変調されてない入力光が挿入されない。
【発明を実施するための最良の形態】
【００９８】
以下、本発明の実施の形態を図面に基づいて説明する。
【００９９】
（第１の実施形態の構成）
第１の実施形態は、第１の技術、第３の技術、第１６の技術に記載の発明に対応する光分岐・挿入装置の実施形態である。
図１５は、第１の実施形態の光分岐・挿入装置のブロック図である。
図１５において、光分岐・挿入装置は、光アンプ１０１、１０３とＯＡＤＭ１０２と１×Ｍ光カプラ１０４とＭ個の光波長分岐回路１０５とＮ×１の光カプラ１０６とＮ個の光挿入回路１０７a とから構成される。
【０１００】
なお、この光分岐・挿入装置は、Ｍ個の光波長分岐回路１０５を備え、Ｎ個の光挿入回路１０７a を備えるが、各回路は、同一の構成であるので、図１５には、複数の光波長分岐回路１０５および光挿入回路１０７a のうちの１つだけを実線で図示し、その他を破線で図示する。
光伝送路を伝わる波長多重された光信号は、光分岐・挿入装置に入力し、所定の光強度まで増幅するアンプ１０１によって増幅される。増幅された光信号は、波長多重光信号を分岐・挿入するＯＡＤＭ１０２に入射する。このＯＡＤＭ１０２によって分岐した所定の波長の信号光は、光分岐回路の数分に分配する１×Ｍ光カプラ１０４に入射する。この１×Ｍ光カプラ１０４によって分配された光信号は、各波長ごとに波長多重光信号を受信処理する光波長分岐回路１０５に入射し、受信処理される。また、ＯＡＤＭ１０２で挿入される光信号は、光挿入回路１０７a によって発生する。この光挿入回路１０７a は、ＯＡＤＭ１０２において挿入すべき光信号の数であるＮ個が用意されている。この挿入される光信号とＯＡＤＭ１０２で分岐しないで透過した光信号とは、波長多重され、光アンプ１０３によって増幅されて光伝送路に送出される。
【０１０１】
一方、光挿入回路１０７a は、レーザダイオードバンク（以下、「ＬＤバンク」と略記する。）１１０と光アンプ１１１、１１５と光分岐器１１２、１１４とＭＺ変調器１１３とＰＤ１１６、１２３とアンプ１１７、１２１と比較器１１８とスイッチ１１９と可変利得アンプ１２０とカップリングコンデンサ１２２とバッファアンプ１２４と乗算器１２５とＬＰＦ１２６と差動アンプ１２７とインダクタ１２８とコンデンサ１２９と抵抗１３０と低周波発振器１３１とから構成される。
【０１０２】
なお、可変利得アンプ１２０とアンプ１２１とカップリングコンデンサ１２２とＰＤ１２３とバッファアンプ１２４と乗算器１２５とＬＰＦ１２６と差動アンプ１２７とインダクタ１２８とコンデンサ１２９と抵抗１３０と低周波発振器１３１とからなる回路を動作点制御回路と呼ぶことにする。
図１５において、ＬＤバンク１１０は、波長多重される波長に対応する複数の波長Ｌ1 〜Ｌ8 のレーザ光を発光することができ、どの波長を発光するかは、図１５に不図示の波長モニタによって光伝送路の空き波長を検出し、その検出信号に応じて発光する波長が選択される。例えば、ＬＤバンク１１０は、波長Ｌ2 の光を発光し、光アンプ１１１に入射する。増幅された光は、光分岐器１１２によって２つの光に分岐し、分岐した第１の光は、ＭＺ変調器１１３に入射する。
【０１０３】
また、変調信号および低周波発振器１３１が出力する所定周波数ｆ0 の低周波信号は、可変利得アンプ１２０に入力される。この可変利得アンプ１２０は、入力信号を低周波信号で振幅変調して出力する。この出力信号は、所定の信号レベルを得るアンプ１２１、さらにカップリングコンデンサ１２２を介してＭＺ変調器１１３の一方の変調入力端子に入力される。
【０１０４】
そして、ＭＺ変調器１１３の他方の変調入力端子には、インダクタ１２８およびコンデンサ１２９によるバイアスＴ回路および抵抗１３０が接続される。
ＭＺ変調器１１３は、駆動回路から与えられる信号によりＬＤバンクの波長Ｌ2 の光を
変調し、光信号に変換して出力する。
ＭＺ変調器１１３からの出力光の一部は、光分岐器１１４によって分岐して取り出され、他部の出力光は、光アンプ１１５によって増幅され、前述のＮ×１光カプラに入射する。この分岐した出力光の一部は、ＰＤ１２３で検出され、この検出信号は、ｆ0 の周波数成分を選択増幅するバッファアンプ１２４で増幅されて乗算器１２５に入力する。また、乗算器１２５には、低周波発振器１３１が出力する低周波信号が入力され、バッファアンプ１２４からの入力信号と低周波発振器１３１からの低周波信号との位相を比較し、その位相差に応じた信号を出力する。この乗算器１２５によって、可変利得アンプ１２０で重畳された所定周波数ｆ0 の低周波信号を検波する。
【０１０５】
この乗算器１２５の出力信号は、所定周波数ｆ0 以下の周波数を通過させるＬＰＦ１２６とスイッチ１１９とを介して差動アンプ１２７の一方の入力端子に入力される。一方、差動アンプ１２７の他方の入力端子は、接地される。差動アンプ１２７の出力は、動作点を移動するための誤差信号としてバイアスＴ回路のインダクタ１２８に入力され、動作点を修正するようにバイアス値が可変制御される。
【０１０６】
一方、光分岐器１１２によって分岐した第２の光は、ＰＤ１１６に入射し、第２の光の平均光強度に比例する電気信号を出力する。つまり、ＰＤ１１６は、ＬＤバンクが発光する光の光強度を検出する。
この電気信号は、アンプ１１７によって増幅され、比較器１１８によって参照電圧Ｖref と比較される。電気信号が参照電圧Ｖref 以下である場合に比較器１１８は、スイッチ１１９に信号を出力し、スイッチ１１９のオン・オフを制御する。
【０１０７】
スイッチ１１９は、比較器１１８から信号を受信するとオフしてＬＰＦ１２６と差動アンプ１２７との間の接続を切る。また、スイッチ１１９は、比較器１１８から信号を受信しない間は、オンにしてＬＰＦ１２６と差動アンプ１２７との間を接続状態にする。
（本発明と第１の実施形態との対応関係）
第１の技術、第３の技術、第１６の技術に記載の発明と第１の実施形態との対応関係については、分岐・挿入手段は光アンプ１０１、１０３とＯＡＤＭ１０２と１×Ｍ光カプラ１０４とＮ×１光カプラ１０６とからなる部分に対応し、光波長分岐手段は光波長分岐回路１０５に対応し、光挿入手段は光挿入回路１０７a に対応する。
【０１０８】
また、光挿入回路１０７a に関し、第１の分岐手段は光分岐器１１２に対応し、光変調手段はＭＺ変調器１１３に対応し、光検出手段はＰＤ１１６に対応し、制御手段はアンプ１１７と比較器１１８とスイッチ１１９とからなる部分に対応し、第２の光分岐手段は光分岐器１１４に対応し、動作点制御手段は動作点制御回路に対応する。
【０１０９】
（第１の実施形態の作用効果）
このような構成の光分岐・挿入装置では、光挿入回路１０７a においてＬＤが発光する波長を変更する間、例えば、波長Ｌ2 のレーザ光から波長Ｌ4 のレーザ光に変更する間に入力光が無くなっても動作点を安定に維持することができる。
このことを波長Ｌ2 から波長Ｌ4 の場合について以下に説明する。
【０１１０】
始め、光伝送路を伝送する波長多重信号の空き波長がＬ2 であるためＬＤバンクは、波長Ｌ2 の光を発光させる。このとき発光した光は、ＭＺ変調器によって変調され、挿入光としてＮ×１光カプラ１０６を介してＯＡＤＭ１０２によって挿入され光伝送路に送出される。また、発光した光は、動作点制御回路に入射し、ＭＺ変調器の動作点を制御することに利用される。さらに、発光した光は、ＰＤ１１６によって光電変換され、ＰＤからの出力信号は、比較器１１８によって参照電圧Ｖref 以下であるか否か判断される。すなわち、この比較器１１８によりＰＤ１１６からの電気信号が所定の参照電圧Ｖref 以下であ
るか否かを判断することによって、ＬＤバンク１１０が発光する波長Ｌ2 の光強度が所定の光強度以下であるか否かを判断することができる。
【０１１１】
ＬＤバンク１１０が発光する波長Ｌ2 の光は、挿入光として使用されることから、所定の光強度より大きいため、比較器１１８は、信号を発光しない。よって、スイッチ１１９は、オンの状態を維持しＬＰＦ１２６と差動アンプ１２７との間は、接続状態を維持する。このため動作点制御回路は、通常通り動作を続ける。
【０１１２】
次に、光伝送路を伝送する波長多重信号の空き波長がＬ2 からＬ4 に変更されたため、ＬＤバンク１１０は、波長Ｌ2 の光の発光を止める。
このときＰＤ１１６の出力信号は、低下しほとんど０になる。このため、この出力信号は、参照電圧Ｖref 以下となるので、比較器１１８は、信号をスイッチ１１９に送信する。そのためスイッチ１１９は、オフとなりＬＰＦ１２６と差動アンプ１２７との間の接続は、切り状態となる。この結果、動作点制御回路は、動作を停止し、動作点は、初期状態となって動作点制御回路が制御することができる範囲に維持される。したがって、動作点は、不定状態となることがない。
【０１１３】
その後、ＬＤバンク１１０は、波長Ｌ4 の光を発光する。このときＰＤ１１６の出力信号は、上昇して波長Ｌ2 の場合と同様のレベルの出力をする。このため、この出力信号は、参照電圧Ｖref より大きくなるので、比較器１１８は、信号を送信しない。そのためスイッチ１１９は、オンとなりＬＰＦ１２６と差動アンプ１２７との間は、接続状態となる。このとき、動作点制御回路は、動作点を初期状態から制御することになるので、通常通り動作することができる。
【０１１４】
なお、上記の説明においては、ＬＤバンク１１０が、発光する波長を変更するために一時発光を止める場合について説明したが、光分岐挿入装置において、他の光挿入回路を使用するために、発光を止める場合についても同様に動作点を安定に維持することができる。
次に、別の実施形態について説明する。
【０１１５】
（第２の実施形態の構成）
第２の実施形態は、第２の技術、第３の技術、第１６の技術に記載の発明に対応する光分岐・挿入装置の実施形態である。
図１６は、第２の実施形態の光分岐・挿入装置のブロック図である。
なお、第２の実施形態において、第１の実施形態と同一の構成については、同一の符号を付し、その説明を省略する。
【０１１６】
図１６において、光分岐・挿入装置は、光アンプ１０１、１０３とＯＡＤＭ１０２と１×Ｍ光カプラ１０４とＭ個の光波長分岐回路１０５とＮ×１の光カプラ１０６とＮ個の光挿入回路１０７b とから構成される。
なお、この光分岐・挿入装置は、Ｍ個の光波長分岐回路１０５を備え、Ｎ個の光挿入回路１０７b を備えるが、各回路は、同一の構成であるので、図１６には、複数の光波長分岐回路１０５および光挿入回路１０７b のうちの１つだけを実線で図示し、その他を破線で図示する。
【０１１７】
光伝送路を伝わる波長多重された光信号は、光分岐・挿入装置に入力し、光アンプ１０１を介してＯＡＤＭ１０２に入射する。このＯＡＤＭ１０２によって分岐した所定の波長の信号光は、１×Ｍ光カプラ１０４によって分配され、光波長分岐回路１０５に入射して受信処理される。また、ＯＡＤＭ１０２で挿入される光信号は、光挿入回路１０７b によって発生する。この光挿入回路１０７b は、ＯＡＤＭ１０２において挿入すべき光信号の
数であるＮ個が用意されている。この挿入される光信号とＯＡＤＭ１０２で分岐しないで透過した光信号とは、波長多重され、光アンプ１０３を介して光伝送路に送出される。
【０１１８】
一方、光挿入回路１０７b は、ＬＤバンク１１０と光アンプ１１１、１１５と光分岐器１４０とＭＺ変調器１１３とＰＤ１２３、１４１とバッファアンプ１２４とアンプ１２１、１４２と比較器１４３とスイッチ１４４、１４８と可変利得アンプ１２０とカップリングコンデンサ１２２と乗算器１２５とＬＰＦ１２６と差動アンプ１２７とインダクタ１２８とコンデンサ１２９、１５１と抵抗１３０、１４５、１４６と低周波発振器１３１と電界効果トランジスタ（以下、「ＦＥＴ」と略記する。）１４７、１４９とオペアンプ１５０、１５２から構成される。
【０１１９】
図１６において、ＬＤバンク１１０から射出されたレーザ光は、光アンプ１１１を介してＭＺ変調器１１３に入射する。
また、変調信号および低周波発振器１３１が出力する所定周波数ｆ0 の低周波信号は、可変利得アンプ１２０に入力される。この出力信号は、アンプ１２１とカップリングコンデンサ１２２とを介してＭＺ変調器１１３の一方の変調入力端子に入力される。
【０１２０】
そして、ＭＺ変調器１１３の他方の変調入力端子には、インダクタ１２８およびコンデンサ１２９によるバイアスＴ回路および抵抗１３０が接続される。
ＭＺ変調器１１３は、駆動回路から与えられる信号によりＬＤバンク１１０の光、例えば、波長Ｌ2 のレーザ光を変調し、光信号に変換して出力する。
ＭＺ変調器１１３からの出力光は、光分岐器１４０によって３つに分岐する。第１の分岐した出力光は、ＰＤ１２３に入射する。第２の分岐した出力光は、ＰＤ１４１に入射する。第３の出力光は、光アンプ１１５を介して前述のＮ×１光カプラ１０６に入射する。この第１の分岐した出力光は、ＰＤ１２３で検出され、この検出信号は、バッファアンプ１２４を介して乗算器１２５に入力する。また、乗算器１２５には、低周波発振器１３１が出力する低周波信号が入力され、バッファアンプ１２４からの入力信号と低周波発振器１３１からの低周波信号との位相を比較し、その位相差に応じた信号を出力する。
【０１２１】
この乗算器１２５の出力信号は、ＬＰＦ１２６に入力される。その出力は、スイッチ１４４を介して差動アンプ１２７の一方の入力端子およびオペアンプ１５２の非反転入力端子（＋）に入力される。一方、差動アンプ１２７の他方の入力端子は、接地される。差動アンプ１２７の出力は、バイアスＴ回路のインダクタ１２８に入力され、動作点を修正するようにバイアス値が可変制御される。
【０１２２】
また、オペアンプ１５２の出力は、ＦＥＴ１４７のドレイン端子およびＦＥＴ１４９のソース端子に入力される。
ＦＥＴ１４７のゲート端子は、スイッチ１４８によって制御され、このスイッチ１４８を介して電源Ｖccに接続する。そして、そのソース端子は、抵抗１４５を介してオペアンプ１５２の反転入力端子（−）に接続するとともに、抵抗１４６を介してオペアンプ１５０の反転入力端子（−）に接続する。
【０１２３】
ＦＥＴ１４９のゲート端子は、スイッチ１４８によって制御され、このスイッチ１４８を介して電源Ｖccに接続する。そして、そのドレイン端子は、コンデンサ１５１を介して接地されるとともにオペアンプ１５０の非反転入力端子（＋）に接続される。
これらオペアンプ１５０、１５２とＦＥＴ１４７、１４９と抵抗１４５、１４６とコンデンサ１５１とから構成される回路は、ＬＰＦ１２６の出力電圧を保持する保持回路である。
【０１２４】
一方、第２の分岐した出力光は、ＰＤ１４１によって検出され、ＰＤ１４１は、平均光
強度に比例する電気信号を出力する。つまり、ＰＤ１４１は、ＭＺ変調器１１３の出力光をモニタすることによってＬＤバンク１１０が発光する光の光強度を検出する。
このＰＤ１４１からの電気信号は、アンプ１４２によって増幅され、比較器１４３によって参照電圧Ｖref と比較される。電気信号が参照電圧Ｖref 以下である場合に比較器１４３は、スイッチ１４４およびスイッチ１４８に信号を出力し、これらを制御する。
【０１２５】
スイッチ１４４は、ＬＰＦ１２６と差動アンプ１２７とを接続するか、または、オペアンプ１５０の出力端子と差動アンプ１２７とを接続するかを切り換えることができる。スイッチ１４４は、通常、ＬＰＦ１２６と差動アンプ１２７とを接続するようにスイッチされているが、比較器１４３から信号を受信するとオペアンプ１５０の出力端子と差動アンプ１２７とを接続するように切り換わる。また、スイッチ１４４は、比較器１４３から信号を受信しなくなると、再びＬＰＦ１２６と差動アンプ１２７との間を接続する。
【０１２６】
また、スイッチ１４８は、比較器１４３からの信号に応じて、ＦＥＴ１４７のオン・オフおよびＦＥＴ１４９のオン・オフを制御する。すなわち、比較器１４３から信号を受信しない間は、電源ＶccとＦＥＴ１４９のゲート端子とを接続することによってＦＥＴ１４９をオンにするとともにＦＥＴ１４７をオフにする。一方、比較器１４３から信号を受信すると、ＦＥＴ１４９をオフにするとともに電源ＶccとＦＥＴ１４７のゲート端子とを接続することによってＦＥＴ１４７をオンにする。
【０１２７】
（本発明と第２の実施形態との対応関係）
第２の技術、第３の技術、第１６の技術に記載の発明と第２の実施形態との対応関係については、分岐・挿入手段は光アンプ１０１、１０３とＯＡＤＭ１０２と１×Ｍ光カプラ１０４とＮ×１光カプラ１０６とからなる部分に対応し、光波長分岐手段は光波長分岐回路１０５に対応し、光挿入手段は光挿入回路１０７b に対応する。
【０１２８】
また、光挿入回路１０７b に関し、光変調手段はＭＺ変調器１１３に対応し、光分岐手段は光分岐器１４０に対応し、光検出手段はＰＤ１４１に対応し、動作点制御手段は動作点制御回路に対応し、制御手段はアンプ１４２と比較器１４３とスイッチ１４４、１４９と保持回路とからなる部分に対応する。
（第２の実施形態の作用効果）
このような構成の光分岐・挿入装置では、光挿入回路１０７b においてＬＤバンク１１０が発光する波長を変更する間、例えば、波長Ｌ2 のレーザ光から波長Ｌ4 のレーザ光に変更する間に入力光が無くなってもＭＺ変調器１１３の動作点を安定に維持することができる。
【０１２９】
このことを波長Ｌ2 から波長Ｌ4 に変更する場合について以下に説明する。
始め、光伝送路を伝送する波長多重信号の空き波長がＬ2 であるためＬＤバンク１１０は、波長Ｌ2 の光を発光させる。このとき発光した光は、ＭＺ変調器１１３によって変調され、挿入光としてＮ×１光カプラ１０６を介してＯＡＤＭ１０２によって挿入され光伝送路に送出される。また、発光した光は、ＭＺ変調器１１３などを介して動作点制御回路に入射し、ＭＺ変調器１１３の動作点を制御することに利用される。さらに、発光した光は、ＭＺ変調器１１３などを介してＰＤ１４１によって光電変換され、ＰＤ１４１からの出力信号は、比較器１４３によって参照電圧Ｖref 以下であるか否か判断される。すなわち、この比較器１４３によりＰＤ１４１からの電気信号が所定の参照電圧Ｖref 以下であるか否かを判断することによって、ＬＤバンク１１０が発光する波長Ｌ2 の光強度が所定の光強度以下であるか否かを判断することができる。
【０１３０】
ＬＤバンク１１０が発光する波長Ｌ2 の光は、挿入光として使用されることから、所定の光強度より大きいため、比較器１４３は、信号を発光しない。よって、スイッチ１４４
は、ＬＰＦ１２６と差動アンプ１２７との間は、接続状態を維持する。このため動作点制御回路は、通常通り動作を続ける。また、スイッチ１４８は、ＦＥＴ１４７をオフにしてＦＥＴ１４９をオンにする。このためＬＰＦ１２６の出力電圧は、コンデンサ１５１に記憶される。
【０１３１】
次に、光伝送路を伝送する波長多重信号の空き波長がＬ2 からＬ4 に変更されたため、ＬＤバンク１１０は、波長Ｌ2 の光の発光を止める。
このときＰＤ１１６の出力信号は、低下しほとんど０になる。このため、この出力信号は、参照電圧Ｖref 以下となるので、比較器１４３は、信号をスイッチ１４４、１４８に送信する。そのためスイッチ１４４は、ＬＰＦ１２６と差動アンプ１２７との接続状態からオペアンプ１５０の出力端子と差動アンプ１２７との接続状態に切り換える。また、スイッチ１４８は、ＦＥＴ１４７をオンにしてＦＥＴ１４９をオフにする。このためコンデンサ１５１に記憶されているＬＰＦ１２６と同一の電圧がオペアンプ１５０の出力端子に出力される。この結果、差動アンプ１２７は、ＬＤバンク１１０が波長Ｌ2 の光の発光を止める直前の状態を維持する。したがって、動作点は、不定状態となることがない。
【０１３２】
その後、ＬＤバンク１１０は、波長Ｌ4 の光を発光する。このときＰＤ１４１の出力信号は、上昇して波長Ｌ2 の場合と同様のレベルの出力をする。このため、この出力信号は、参照電圧Ｖref より大きくなるので、比較器１４２は、信号を送信しない。そのためスイッチ１４４は、オペアンプ１５０の出力端子と差動アンプ１２７との接続状態から再びＬＰＦ１２６と差動アンプ１２７との接続状態に切り換える。よって、動作点制御回路は、通常通り、動作点制御回路に入射したＭＺ変調器１１３からの光信号によってＭＺ変調器１１３の動作点を制御する。
【０１３３】
しかも、動作点制御回路は、波長Ｌ2 のレーザ光から波長Ｌ4 のレーザ光に切り替わる直前の状態を保持しているので、初期状態から動作点の制御を開始する場合よりも、より早く動作点を補償することができる。
なお、上記の説明においては、ＬＤバンク１１０が、発光する波長を変更するために一時発光を止める場合について説明したが、光分岐挿入装置において、他の光挿入回路を使用するために、発光を止める場合についても同様に動作点を安定に維持することができる。
【０１３４】
次に、別の実施形態について説明する。
（第３の実施形態）
第３の実施形態は、第４の技術、第５の技術、第１６の技術に記載の発明に対応する光分岐・挿入装置の実施形態である。
図１７は、第３の実施形態の光分岐・挿入装置のブロック図である。
【０１３５】
図１７において、光分岐・挿入装置は、光アンプ１０１、１０３とＯＡＤＭ１０２と１×Ｍ光カプラ１０４とＭ個の光波長分岐回路１０５とＮ×１の光カプラ１０６とＮ個の光挿入回路１０７c とから構成される。
なお、この光分岐・挿入装置は、Ｍ個の光波長分岐回路１０５を備え、Ｎ個の光挿入回路１０７c を備えるが、各回路は、同一の構成であるので、図１７には、複数の光波長分岐回路１０５および光挿入回路１０７c のうちの１つだけを実線で図示し、その他を破線で図示する。
【０１３６】
また、第１の実施形態と同一の構成については、同一の符号を付し、その説明を省略する。
光伝送路を伝わる波長多重された光信号は、光分岐・挿入装置に入力し、光アンプ１０１によって増幅されてＯＡＤＭ１０２に入射する。このＯＡＤＭ１０２によって分岐した
所定の波長の信号光は、１×Ｍ光カプラ１０４に入射する。この１×Ｍ光カプラ１０４によって分配された光信号は、光波長分岐回路１０５に入射し、受信処理される。また、ＯＡＤＭ１０２で挿入される光信号は、光挿入回路１０７c によって発生する。この挿入される光信号とＯＡＤＭ１０２で分岐しないで透過した光信号とは、波長多重され、光アンプ１０３によって増幅されて光伝送路に送出される。
【０１３７】
一方、光挿入回路１０７c は、ＬＤバンク１１０と光アンプ１１１、１１５と光分岐器１１４とＭＺ変調器１１３とＰＤ１２３とアンプ１２１、１６２とバッファアンプ１２４と比較器１６３とスイッチ１６４と可変利得アンプ１２０とカップリングコンデンサ１２２と乗算器１２５とＬＰＦ１２６と差動アンプ１２７とインダクタ１２８とコンデンサ１２９と抵抗１３０、１６１と低周波発振器１３１とから構成される。
【０１３８】
図１７において、ＬＤバンク１１０から射出されたレーザ光は、光アンプ１１１を介してＭＺ変調器１１３に入射する。
また、変調信号および低周波発振器１３１が出力する所定周波数ｆ0 の低周波信号は、可変利得アンプ１２０に入力される。この出力信号は、アンプ１２１とカップリングコンデンサ１２２とを介してＭＺ変調器１１３の一方の変調入力端子に入力される。
【０１３９】
そして、ＭＺ変調器１１３の他方の変調入力端子には、インダクタ１２８およびコンデンサ１２９によるバイアスＴ回路および抵抗１３０が接続される。
ＭＺ変調器１１３は、駆動回路から与えられる信号によりＬＤバンク１１０の波長Ｌ2 の光を変調し、光信号に変換して出力する。
ＭＺ変調器１１３からの出力光の一部は、光分岐器１１４によって分岐して取り出され、他部の出力光は、光アンプ１１５を介して前述のＮ×１光カプラ１０６に入射する。この分岐した出力光の一部は、ＰＤ１２３で検出され、この検出信号は、バッファアンプ１２４を介して乗算器１２５に入力する。また、乗算器１２５には、低周波発振器１３１が出力する低周波信号が入力され、バッファアンプ１２４からの入力信号と低周波発振器１３１からの低周波信号との位相を比較し、その位相差に応じた信号を出力する。
【０１４０】
この乗算器１２５の出力信号は、ＬＰＦ１２６とスイッチ１６４とを介して差動アンプ１２７の一方の入力端子に入力される。一方、差動アンプ１２７の他方の入力端子は、接地される。差動アンプ１２７の出力は、バイアスＴ回路のインダクタ１２８に入力され、動作点を修正するようにバイアス値が可変制御される。
【０１４１】
一方、変調信号は、ダイオード１６０の一方の端子に接続され、ダイオード１６０の他方の端子は、抵抗１６１を介して接地される。変調信号は、ダイオード１６０によって半波整流され、変調信号の信号強度に応じた電圧が抵抗１６１の両端に検出される。
この変調信号の信号強度に応じた電圧は、アンプ１６２によって増幅され、比較器１６３によって参照電圧Ｖref と比較される。電気信号が参照電圧Ｖref 以下である場合に比較器１６３は、スイッチ１６４に信号を出力し、スイッチ１６４を制御する。
【０１４２】
スイッチ１６４は、ＬＰＦ１２６と差動アンプ１２７とを接続するか、または、基準電圧Ｖ1 と差動アンプ１２７とを接続するかを切り換えることができる。スイッチ１６４は、通常、ＬＰＦ１２６と差動アンプ１２７とを接続するようにスイッチされているが、比較器１６３から信号を受信すると基準電圧Ｖ1 と差動アンプ１２７とを接続するように切り換わる。また、スイッチ１６４は、比較器１６３から信号を受信しなくなると、再びＬＰＦ１２６と差動アンプ１２７との間を接続する。
【０１４３】
基準電圧Ｖ1 は、動作点制御回路において動作点を制御することができる範囲の電圧値である。
（本発明と第３の実施形態との対応関係）
第４の技術、第５の技術、第１６の技術に記載の発明と第３の実施形態との対応関係については、分岐・挿入手段は光アンプ１０１、１０３とＯＡＤＭ１０２と１×Ｍ光カプラ１０４とＮ×１光カプラ１０６とからなる部分に対応し、光波長分岐手段は光波長分岐回路１０５に対応し、光挿入手段は光挿入回路１０７c に対応する。
【０１４４】
また、光挿入回路１０７c に関し、光変調手段はＭＺ変調器１１３に対応し、光分岐手段は光分岐器１１４に対応し、動作点制御手段は動作点制御回路に対応し、変調信号検出手段はダイオード１６０と抵抗１６１とからなる部分に対応し、制御手段はアンプ１６２と比較器１６３とスイッチ１６４と基準電圧Ｖ1 からなる部分に対応する。
【０１４５】
（第３の実施形態の作用効果）
このような構成の光分岐・挿入装置では、光挿入回路１０７において送出すべき変調信号がない間でも動作点を安定に維持することができる。
例えば、変調信号がある場合からない場合を経て再びある場合になるときの光挿入回路１０７c の動作を以下に説明する。
【０１４６】
始め、送出すべき変調信号は、ＭＺ変調器１１３によってＬＤバンク１１０からの入力光を変調する。この変調された入力光は、挿入光としてＮ×１光カプラ１０６を介してＯＡＤＭ１０２によって挿入され光伝送路に送出される。
また、変調信号は、ダイオード１６０と抵抗１６１によってその信号強度が検出され、この変調信号の信号強度に応じた電圧は、比較器１６３によって所定の参照電圧Ｖref 以下であるか否か判断される。すなわち、変調信号の信号強度が所定の信号強度以下であるか否かが判断される。
【０１４７】
今、送出すべき変調信号があるから比較器１６３は、信号をスイッチ１６４に送出しない。このためスイッチ１６４は、ＬＰＦ１２６と差動アンプ１２７とを接続するようにスイッチする。よって、動作点制御回路は、通常通り動作するから、動作点制御回路に入射したＭＺ変調器１１３からの光信号によってＭＺ変調器１１３の動作点を制御することができる。
【０１４８】
次に、この光分岐・挿入装置において挿入すべき信号がないために、あるいは、Ｎ個の光挿入回路のうちこの光挿入回路以外の光挿入回路が使用されるために、変調信号は、無くなる。
このとき抵抗１６１の電圧値は、低下しほとんど０になる。このため、この電圧値が参照電圧Ｖref 以下となるので、比較器１６３は、信号をスイッチ１６４に送信する。そのためスイッチ１６４は、ＬＰＦ１２６と差動アンプ１２７との接続状態から基準電圧Ｖ1 と差動アンプ１２７との接続状態に切り換える。この結果、動作点制御回路は、動作点を基準電圧Ｖ1 に維持する。したがって、動作点は、不定状態となることがない。
【０１４９】
その後、再び送出すべき変調信号が発生すると抵抗１６１に電圧が生じる。このため、この電圧値は、参照電圧Ｖref より大きくなるので、比較器１６３は、信号を送信しない。そのためスイッチ１６４は、基準電圧Ｖ1 と差動アンプ１２７との接続状態から再びＬＰＦ１２６と差動アンプ１２７との接続状態に切り換える。よって、動作点制御回路は、基準電圧Ｖ1 の状態から通常通り、動作点制御回路に入射したＭＺ変調器１１３からの光信号によってＭＺ変調器１１３の動作点を制御する。
【０１５０】
このとき、ＭＺ変調器１１３が作動しているときの温度などを考慮して基準電圧を適当に選択すれば、初期状態から動作点の制御を開始する場合よりも、より早く動作点を補償することができる。
次に、別の実施形態について説明する。
（第４の実施形態）
第４の実施形態は、第１の技術、第３の技術、第６の技術、第８の技術、第１０の技術、第１２の技術、第１４の技術、第１６の技術に記載の発明に対応する光分岐・挿入装置の実施形態である。
【０１５１】
図１８は、第４の実施形態の光分岐・挿入装置のブロック図である。
図１８において、光分岐・挿入装置は、光アンプ１０１、１０３とＯＡＤＭ１０２と１×Ｍ光カプラ１０４とＭ個の光波長分岐回路１０５とＮ×１の光カプラ１０６とＮ個の光挿入回路１０７d とから構成される。
なお、この光分岐・挿入装置は、Ｍ個の光波長分岐回路１０５を備え、Ｎ個の光挿入回路１０７d を備えるが、各回路は、同一の構成であるので、図１８には、複数の光波長分岐回路１０５および光挿入回路１０７d のうちの１つだけを実線で図示し、その他を破線で図示する。
【０１５２】
また、第１の実施形態および第３の実施形態と同一の構成については、同一の符号を付し、その説明を省略する。
光伝送路を伝わる波長多重された光信号は、光分岐・挿入装置に入力し、光アンプ１０１によって増幅されてＯＡＤＭ１０２に入射する。このＯＡＤＭ１０２によって分岐した所定の波長の信号光は、１×Ｍ光カプラ１０４に入射する。この１×Ｍ光カプラ１０４によって分配された光信号は、光波長分岐回路１０５に入射し、受信処理される。また、ＯＡＤＭ１０２で挿入される光信号は、光挿入回路１０７d によって発生する。この挿入される光信号とＯＡＤＭ１０２で分岐しないで透過した光信号とは、波長多重され、光アンプ１０３によって増幅されて光伝送路に送出される。
【０１５３】
一方、光挿入回路１０７d は、ＬＤバンク１１０と光アンプ１１１、１１５と光分岐器１１２、１１４とＭＺ変調器１１３とＰＤ１１６、１２３とアンプ１１７、１２１、１６２とバッファアンプ１２４と比較器１１８、１６３とスイッチ１１９と可変利得アンプ１２０とカップリングコンデンサ１２２と乗算器１２５とＬＰＦ１２６と差動アンプ１２７とインダクタ１２８とコンデンサ１２９と抵抗１３０、１６１と低周波発振器１３１とダイオード１６０と和算器１７０と光減衰器１７１とから構成される。
【０１５４】
図１８において、ＬＤバンク１１０から射出されたレーザ光は、光アンプ１１１に入射する。増幅された光は、光分岐器１１２によって２つの光に分岐し、分岐した第１の光は、光減衰器１７１を介してＭＺ変調器１１３に入射する。
一方、光分岐器１１２によって分岐した第２の光は、ＰＤ１１６に入射し、その電気信号は、アンプ１１７によって増幅され、比較器１１８によって参照電圧Ｖref1と比較される。電気信号が参照電圧Ｖref1以下である場合に比較器１１８は、スイッチ１１９および和算器１７０に信号を出力する。
【０１５５】
スイッチ１１９は、比較器１１８の出力に応じて制御され、比較器１１８から信号を受信するとオフしてＬＰＦ１２６と差動アンプ１２７との間の接続を切る。また、スイッチ１１９は、比較器１１８から信号を受信しない間は、オンにしてＬＰＦ１２６と差動アンプ１２７との間を接続状態にする。
また、変調信号および低周波発振器１３１が出力する所定周波数ｆ0 の低周波信号は、可変利得アンプ１２０に入力される。この出力信号は、アンプ１２１とカップリングコンデンサ１２２とを介してＭＺ変調器１１３の一方の変調入力端子に入力される。
【０１５６】
そして、ＭＺ変調器１１３の他方の変調入力端子には、インダクタ１２８およびコンデンサ１２９によるバイアスＴ回路および抵抗１３０が接続される。
ＭＺ変調器１１３は、駆動回路から与えられる信号によりＬＤバンク１１０の例えば、
波長Ｌ2 の光を変調し、光信号に変換して出力する。
ＭＺ変調器１１３からの出力光の一部は、光分岐器１１４によって分岐して取り出され、他部の出力光は、光アンプ１１５を介して前述のＮ×１光カプラ１０６に入射する。この分岐した出力光の一部は、ＰＤ１２３で検出され、この検出信号は、バッファアンプ１２４を介して乗算器１２５に入力する。また、乗算器１２５には、低周波発振器１３１が出力する低周波信号が入力され、バッファアンプ１２４からの入力信号と低周波発振器１３１からの低周波信号との位相を比較し、その位相差に応じた信号を出力する。
【０１５７】
この乗算器１２５の出力信号は、ＬＰＦ１２６とスイッチ１１９とを介して差動アンプ１２７の一方の入力端子に入力される。一方、差動アンプ１２７の他方の入力端子は、接地される。差動アンプ１２７の出力は、バイアスＴ回路のインダクタ１２８に入力され、ＭＺ変調器１１３の動作点を修正するようにバイアス値が可変制御される。
【０１５８】
一方、変調信号は、ダイオード１６０と抵抗１６１とを介して接地され、変調信号の信号強度に応じた電圧が抵抗１６１の両端に検出される。
この変調信号の信号強度に応じた電圧は、アンプ１６２を介して比較器１６３に入力され、比較器１６３によって参照電圧Ｖref2と比較される。電気信号が参照電圧Ｖref2以下である場合に比較器１６３は、和算器１７０に信号を出力する。
【０１５９】
和算器１７０は、比較器１１８からの信号と比較器１６３からの信号との和集合を取りその結果を光減衰器１７１に出力する。すなわち、比較器１１８からの信号と比較器１６３からの信号のいずれかの信号を受信した場合および両方の比較器１１８、１６３からの信号を受信した場合に光減衰器１７１に信号を出力し、両方の比較器１１８、１６３から信号を受信しない場合のみ光減衰器１７１に信号を出力しない。
【０１６０】
光減衰器１７１は、和算器１７０から出力を受信すると光分岐器１１２からの入力光の光強度を所定の強度まで減衰し、和算器１７０から出力がないときは、光分岐器１１２からの入力光を透過してＭＺ変調器１１３に入力光を出力する。（本発明と第４の実施形態との対応関係）
第１の技術、第３の技術、第６の技術、第８の技術、第１０の技術、第１２の技術、第１４の技術、第１６の技術に記載の発明と第４の実施形態との対応関係については、分岐・挿入手段は光アンプ１０１、１０３とＯＡＤＭ１０２と１×Ｍ光カプラ１０４とＮ×１光カプラ１０６とからなる部分に対応し、光波長分岐手段は光波長分岐回路１０５に対応し、光挿入手段は光挿入回路１０７d に対応する。
【０１６１】
また、光挿入回路１０７d に関し、第１の分岐手段は光分岐器１１２に対応し、光変調手段はＭＺ変調器１１３に対応し、光検出手段はＰＤ１１６に対応し、制御手段はアンプ１１７と比較器１１８とスイッチ１１９とからなる部分に対応し、第２の光分岐手段は光分岐器１１４に対応し、動作点制御手段は動作点制御回路に対応する。また、変調信号検出手段はダイオード１６０と抵抗１６１とからなる部分に対応し、減衰量制御手段はアンプ１１７、１６２と比較器１１８、１６３と和算器１７０からなる部分に対応し、光減衰手段は光減衰器１７１に対応する。
【０１６２】
（第４の実施形態の作用効果）
このような構成の光分岐・挿入装置では、光挿入回路１０７d においてＬＤバンク１１０が発光する波長を変更する間、例えば、波長Ｌ2 のレーザ光から波長Ｌ4 のレーザ光に変更する間に入力光が無くなっても動作点を安定に維持することができる。さらに、光挿入回路１０７d において送出すべき変調信号がない間あるいはＬＤバンク１１０が発光する光がない間でも変調信号によって変調されていない入力光およびＡＳＥをＮ×１光カプラ１０６に送出しない。
【０１６３】
動作点制御回路の動作点を安定にすることについては、第１の実施形態と同様に動作するので、ここではその説明を省略する。
ここでは、変調信号によって変調されてない入力光およびＡＳＥをＮ×１光カプラ１０６に送出しないことについて、以下に説明する。
変調信号は、ダイオード１６０と抵抗１６１によってその信号強度が検出され、この変調信号の信号強度に応じた電圧は、比較器１６３によって所定の参照電圧Ｖref2以下であるか否か判断される。すなわち、変調信号の信号強度が所定の信号強度以下であるか否かが判断される。
【０１６４】
送出すべき変調信号がある場合は、比較器１６３は、信号を和算器１７０に送出しない。このため和算器１７０は、光減衰器１７１に信号を出力しないので、ＭＺ変調器１１３は、入力光を変調信号によって変調して出力する。
一方、変調信号が無くなると抵抗１６１の電圧値は、低下しほとんど０になる。このため、この電圧値が参照電圧Ｖref2以下となるので、比較器１６３は、信号を和算器１７０に送信する。そのため和算器１７０は、光減衰器１７１に信号を出力し、光減衰器１７１は、入力光を所定の光強度（光強度が０の場合を含む。）まで減衰する。したがって、変調信号によって変調されてない入力光およびＡＳＥをＮ×１光カプラ１０６に送出しない。
【０１６５】
また、ＬＤバンク１１０からの入力光は、ＰＤ１１６によって光電変換され、ＰＤ１１６からの出力信号は、比較器１１８によって参照電圧Ｖref1以下であるか否か判断される。すなわち、この比較器１１８によりＰＤ１１６からの電気信号が所定の参照電圧Ｖref1以下であるか否かを判断することによって、ＬＤバンク１１０から入力光があるか否かを判断することができる。
【０１６６】
ＬＤバンク１１０からの入力光がある場合は、所定の光強度より大きいため、比較器１１８は、信号を和算器１７０に送出しない。このため和算器１７０は、光減衰器１７１に信号を出力しないので、ＭＺ変調器１１３は、入力光を変調信号によって変調して出力する。
一方、ＬＤバンク１１０からの入力光がない場合は、ＰＤ１１６の出力信号は、低下しほとんど０になる。このため、この出力信号は、参照電圧Ｖref1以下となるので、比較器１１８は、信号を和算器１７０に送信する。そのため和算器１７０は、光減衰器１７１に信号を出力し、光減衰器１７１は、光アンプ１１１などで発生するＡＳＥを所定の光強度（光強度が０の場合を含む。）まで減衰する。したがって、ＡＳＥをＮ×１光カプラ１０６に送出しない。
【０１６７】
もちろん、変調信号が無く且つ入力光がない場合も、和算器１７０から信号が光減衰器１７１に送出されるから、ＡＳＥは、Ｎ×１光カプラ１０６に送出されない。
【０１６８】
次に、別の実施形態について説明する。
（第５の実施形態）
第５の実施形態は、第１の技術、第３の技術、第７の技術、第９の技術、第１１の技術、第１３の技術、第１５の技術、第１６の技術に記載の発明に対応する光分岐・挿入装置の実施形態である。
図１９は、第５の実施形態の光分岐・挿入装置のブロック図である。
【０１６９】
図１９において、光分岐・挿入装置は、光アンプ１０１、１０３とＯＡＤＭ１０２と１×Ｍ光カプラ１０４とＭ個の光波長分岐回路１０５とＮ×１の光カプラ１０６とＮ個の光挿入回路１０７e とから構成される。
なお、この光分岐・挿入装置は、Ｍ個の光波長分岐回路１０５を備え、Ｎ個の光挿入回路１０７e を備えるが、各回路は、同一の構成であるので、図１９には、複数の光波長分
岐回路１０５および光挿入回路１０７e のうちの１つだけを実線で図示し、その他を破線で図示する。
【０１７０】
また、第１の実施形態および第３の実施形態と同一の構成については、同一の符号を付し、その説明を省略する。
光伝送路を伝わる波長多重された光信号は、光分岐・挿入装置に入力し、アンプ１０１によって増幅されてＯＡＤＭ１０２に入射する。このＯＡＤＭ１０２によって分岐した所定の波長の信号光は、１×Ｍ光カプラ１０４に入射する。この１×Ｍ光カプラ１０４によって分配された光信号は、光波長分岐回路１０５に入射し、受信処理される。また、ＯＡＤＭ１０２で挿入される光信号は、光挿入回路１０７e によって発生する。この挿入される光信号とＯＡＤＭ１０２で分岐しないで透過した光信号とは、波長多重され、光アンプ１０３によって増幅されて光伝送路に送出される。
【０１７１】
一方、光挿入回路１０７e は、ＬＤバンク１１０と光アンプ１１１、１１５と光分岐器１１２、１１４とＭＺ変調器１１３とＰＤ１１６、１２３とアンプ１１７、１２１、１６２とバッファアンプ１２４と比較器１１８、１６３とスイッチ１８１と可変利得アンプ１２０とカップリングコンデンサ１２２と乗算器１２５とＬＰＦ１２６と差動アンプ１２７とインダクタ１２８とコンデンサ１２９と抵抗１３０、１６１と低周波発振器１３１とダイオード１６０と和算器１８０とから構成される。
【０１７２】
図１９において、ＬＤバンク１１０から射出されたレーザ光は、光アンプ１１１に入射する。増幅された光は、光分岐器１１２によって２つの光に分岐し、分岐した第１の光は、光減衰器１７１を介してＭＺ変調器１１３に入射する。
一方、光分岐器１１２によって分岐した第２の光は、ＰＤ１１６に入射し、その電気信号は、アンプ１１７によって増幅され、比較器１１８によって参照電圧Ｖref1と比較される。電気信号が参照電圧Ｖref1以下である場合に比較器１１８は、スイッチ１８１および和算器１８０に信号を出力する。
【０１７３】
スイッチ１８１は、ＬＰＦ１２６と差動アンプ１２７とを接続するか、または、基準電圧Ｖ1 と差動アンプ１２７とを接続するかを切り換えることができる。スイッチ１８１は、通常、ＬＰＦ１２６と差動アンプ１２７とを接続するようにスイッチされているが、比較器１１８から信号を受信すると基準電圧Ｖ1 と差動アンプ１２７とを接続するように切り換わる。また、スイッチ１８１は、比較器１１８から信号を受信しなくなると、再びＬＰＦ１２６と差動アンプ１２７との間を接続する。
【０１７４】
基準電圧Ｖ1 は、動作点制御回路において動作点を制御することができる範囲の電圧値である。
また、変調信号および低周波発振器１３１が出力する所定周波数ｆ0 の低周波信号は、可変利得アンプ１２０に入力される。この出力信号は、アンプ１２１とカップリングコンデンサ１２２とを介してＭＺ変調器１１３の一方の変調入力端子に入力される。
【０１７５】
そして、ＭＺ変調器１１３の他方の変調入力端子には、インダクタ１２８およびコンデンサ１２９によるバイアスＴ回路および抵抗１３０が接続される。
ＭＺ変調器１１３は、駆動回路から与えられる信号によりＬＤバンク１１０の例えば、波長Ｌ2 の光を変調し、光信号に変換して出力する。さらに、和算器１８０から信号を受信すると、ＭＺ変調器１１３内の２つの光導波路を伝わる各光の位相差を１８０ずらすことによって出力光を無くす。
【０１７６】
ＭＺ変調器１１３からの出力光の一部は、光分岐器１１４によって分岐して取り出され、他部の出力光は、光アンプ１１５を介して前述のＮ×１光カプラ１０６に入射する。こ
の分岐した出力光の一部は、ＰＤ１２３で検出され、この検出信号は、バッファアンプ１２４を介して乗算器１２５に入力する。また、乗算器１２５には、低周波発振器１３１が出力する低周波信号が入力され、バッファアンプ１２４からの入力信号と低周波発振器１３１からの低周波信号との位相を比較し、その位相差に応じた信号を出力する。
【０１７７】
この乗算器１２５の出力信号は、ＬＰＦ１２６とスイッチ１１９とを介して差動アンプ１２７の一方の入力端子に入力される。一方、差動アンプ１２７の他方の入力端子は、接地される。  差動アンプ１２７の出力は、バイアスＴ回路のインダクタ１２８に入力され、動作点を修正するようにバイアス値が可変制御される。
【０１７８】
一方、変調信号は、ダイオード１６０と抵抗１６１とを介して接地され、変調信号の信号強度に応じた電圧が抵抗１６１の両端に検出される。
この変調信号の信号強度に応じた電圧は、アンプ１６２を介して比較器１６３に入力され、比較器１６３によって参照電圧Ｖref2と比較される。電気信号が参照電圧Ｖref2以下である場合に比較器１６３は、和算器１８０に信号を出力する。
【０１７９】
和算器１８０は、比較器１１８の出力と比較器１６３の出力との和集合を取りその結果をＭＺ変調器１１３に出力する。
（本発明と第５の実施形態との対応関係）
第１の技術、第３の技術、第６の技術、第８の技術、第１０の技術、第１２の技術、第１４の技術、第１６の技術に記載の発明と第４の実施形態との対応関係については、分岐・挿入手段は光アンプ１０１、１０３とＯＡＤＭ１０２と１×Ｍ光カプラ１０４とＮ×１光カプラ１０６とからなる部分に対応し、光波長分岐手段は光波長分岐回路１０５に対応し、光挿入手段は光挿入回路１０７e に対応する。
【０１８０】
また、光挿入回路１０７e に関し、第１の分岐手段は光分岐器１１２に対応し、光変調手段はＭＺ変調器１１３に対応し、光検出手段はＰＤ１１６に対応し、制御手段はアンプ１１７と比較器１１８とスイッチ１１９とからなる部分に対応し、第２の光分岐手段は光分岐器１１４に対応し、動作点制御手段は動作点制御回路に対応する。また、変調信号検出手段はダイオード１６０と抵抗１６１とからなる部分に対応し、変調制御手段はアンプ１１７、１６２と比較器１１８、１６３と和算器１８０からなる部分に対応する。
【０１８１】
（第５の実施形態の作用効果）
このような構成の光分岐・挿入装置では、光挿入回路１０７e においてＬＤバンク１１０が発光する波長を変更する間、例えば、波長Ｌ2 のレーザ光から波長Ｌ4 のレーザ光に変更する間に入力光が無くなっても動作点を安定に維持することができる。さらに、光挿入回路１０７e において送出すべき変調信号がない間あるいはＬＤバンク１１０が発光する光がない間でも変調信号によって変調されてない入力光およびＡＳＥをＮ×１光カプラ１０６に送出しない。
【０１８２】
動作点制御回路の動作点を安定にすることについては、スイッチ１１９をオン・オフする代わりに、スイッチ１６４によって差動アンプ１２７の一方の入力端子をＬＰＦ１２６に接続するかあるいは基準電圧Ｖ1 に接続するかとする以外は、第１の実施形態と同様に動作するので、ここではその説明を省略する。
ここでは、変調信号によって変調されてない入力光およびＡＳＥをＮ×１光カプラ１０６に送出しないことについて、以下に説明する。
【０１８３】
変調信号は、ダイオード１６０と抵抗１６１によってその信号強度が検出され、この変調信号の信号強度に応じた電圧は、比較器１６３によって所定の参照電圧Ｖref2以下であるか否か判断される。すなわち、変調信号の信号強度が所定の信号強度以下であるか否かが判断される。
送出すべき変調信号がある場合は、比較器１６３は、信号を和算器１８０に送出しない。このため和算器１８０は、ＭＺ変調器１１３に信号を出力しないので、ＭＺ変調器１１３は、入力光を変調信号によって変調して出力する。
【０１８４】
一方、変調信号が無くなると抵抗１６１の電圧値は、低下しほとんど０になる。このため、この電圧値が参照電圧Ｖref 以下となるので、比較器１６３は、信号を和算器１８０に送信する。そのため和算器１８０は、ＭＺ変調器１１３に信号を出力し、ＭＺ変調器１１３は、出力光を無くすようにＭＺ変調器１１３内の２つの光導波路を伝わる各光の位相差を１８０ずらす。したがって、変調信号によって変調されてない入力光およびＡＳＥをＮ×１光カプラ１０６に送出しない。
【０１８５】
また、ＬＤバンク１１０からの入力光は、ＰＤ１１６によって光電変換され、ＰＤ１１６からの出力信号は、比較器１１８によって参照電圧Ｖref 以下であるか否か判断される。すなわち、この比較器１１８によりＰＤ１１６からの電気信号が所定の参照電圧Ｖref1以下であるか否かを判断することによって、ＬＤバンク１１０から入力光があるか否かを判断することができる。
【０１８６】
ＬＤバンク１１０からの入力光がある場合は、所定の光強度より大きいため、比較器１１８は、信号を和算器１８０に送出しない。このため和算器１８０は、ＭＺ変調器１１３に信号を出力しないので、ＭＺ変調器１１３は、入力光を変調信号によって変調して出力する。
一方、ＬＤバンク１１０からの入力光がない場合は、ＰＤ１１６の出力信号は、低下しほとんど０になる。このため、この出力信号は、参照電圧Ｖref 以下となるので、比較器１１８は、信号を和算器１８０に送信する。そのため和算器１８０は、ＭＺ変調器１１３に信号を出力し、ＭＺ変調器１１３は、光アンプ１１１などで発生するＡＳＥを減衰する。したがって、ＡＳＥをＮ×１光カプラ１０６に送出しない。
【０１８７】
もちろん、変調信号が無く且つ入力光がない場合も、和算器１８０から信号がＭＺ変調器１１３に送出されるから、ＡＳＥは、Ｎ×１光カプラ１０６に送出されない。
第１ないし第５の実施形態におけるレーザダイオードバンクは、任意の光波長を発光することが可能な光チューナブルレーザに置き換えることができる。
【図面の簡単な説明】
【０１８８】
【図１】第１の技術、第３の技術に記載の光通信装置のブロック図である。
【図２】第２の技術、第３の技術に記載の光通信装置のブロック図である。
【図３】第４の技術、第５の技術に記載の光通信装置のブロック図である。
【図４】第６の技術に記載の光通信装置のブロック図である。
【図５】第７の技術に記載の光通信装置のブロック図である。
【図６】第８の技術に記載の光通信装置のブロック図である。
【図７】第９の技術に記載の光通信装置のブロック図である。
【図８】第１０の技術に関し、第１の技術に光減衰手段を付設した光通信装置のブロック図である。
【図９】第１１の技術に関し、第１の技術の光変調手段を変調信号に応じて制御するようにした光通信装置のブロック図である。
【図１０】第１２の技術に記載の光通信装置のブロック図である。
【図１１】第１３の技術に記載の光通信装置のブロック図である。
【図１２】第１４の技術に記載の光通信装置のブロック図である。
【図１３】第１５の技術に記載の光通信装置のブロック図である。
【図１４】第１６の技術に関し、第１の技術の光通信装置を光挿入手段として使用した光分岐・挿入装置のブロック図である。
【図１５】第１の実施形態の光分岐・挿入装置のブロック図である。
【図１６】第２の実施形態の光分岐・挿入装置のブロック図である。
【図１７】第３の実施形態の光分岐・挿入装置のブロック図である。
【図１８】第４の実施形態の光分岐・挿入装置のブロック図である。
【図１９】第５の実施形態の光分岐・挿入装置のブロック図である。
【図２０】従来の動作点制御回路を備えたＭＺ変調器のブロック図である。
【図２１】動作点にドリフトが生じた場合の動作を説明するための波形図である。
【図２２】従来の光分岐・挿入装置のブロック図である。
【符号の説明】
【０１８９】
１０  光分岐手段
１４  制御手段
１５  光検出手段
２１  光分岐手段
２３  光検出手段
２５  制御手段
２６  変調信号検出手段
３１  光減衰手段
３２  減衰量制御手段
３３  光検出手段
３５  変調制御手段
４１  減衰量制御手段
４２  変調信号検出手段
４５  変調制御手段
５０  光減衰手段
５５  光変調手段
６１  減衰量制御手段
６５  変調制御手段
１０７a 〜e 光挿入回路
１１２  光分岐器
１１４  光分岐器
１１６  ＰＤ
１１７  アンプ
１１８  比較器
１１９  スイッチ
１４０  光分岐器１４０
１４１  ＰＤ
１４２  アンプ
１４３  比較器
１４４  スイッチ
１４５  抵抗
１４６  抵抗
１４７  ＦＥＴ
１４８  スイッチ
１４９  ＦＥＴ
１５０  オペアンプ
１５１  コンデンサ
１５２  オペアンプ
１６０  ダイオード
１６１  アンプ
１６１  抵抗
１６３  比較器
１６４  スイッチ
１７０  和算器
１７１  光減衰器
１８０  和算器
１８１  スイッチ
【図１】
0004673285.tif 000002
【図２】
0004673285.tif 000003
【図３】
0004673285.tif 000004
【図４】
0004673285.tif 000005
【図５】
0004673285.tif 000006
【図６】
0004673285.tif 000007
【図７】
0004673285.tif 000008
【図８】
0004673285.tif 000009
【図９】
0004673285.tif 000010
【図１０】
0004673285.tif 000011
【図１１】
0004673285.tif 000012
【図１２】
0004673285.tif 000013
【図１３】
0004673285.tif 000014
【図１４】
0004673285.tif 000015
【図１５】
0004673285.tif 000016
【図１６】
0004673285.tif 000017
【図１７】
0004673285.tif 000018
【図１８】
0004673285.tif 000019
【図１９】
0004673285.tif 000020
【図２０】
0004673285.tif 000021
【図２１】
0004673285.tif 000022
【図２２】
0004673285.tif 000023